(57)【要約】【課題】ディスク装置の熱対策を行う。また、熱対策が可能なディスク装置の制御方法を行う。【解決手段】情報が記録されるディスク２００にレーザを照射させるピックアップ装置１が用いられて、回動するディスク２００に情報の書込みが行われるディスク装置１００において、ディスク２００への情報の記録が完了したのちに、ピックアップ装置１もしくはピックアップ装置周辺部の温度が高いときに、ピックアップ装置１からレーザが発せられることなくディスク２００を空回しさせる空回し手段が備えられた。ピックアップ装置１の温度が例えば５０℃よりも低い温度となるまで、ディスク２００を空回しさせる。ディスク２００が空回しされることで発生する対流により、ピックアップ装置１もしくはピックアップ装置周辺部の温度が下げられ、ディスク装置１００内に熱がこもることは回避される。【選択図】図１
2005259335.tif 000002
【特許請求の範囲】
【請求項１】
情報が記録されるディスクにレーザを照射させるピックアップ装置が用いられて、回動する該ディスクに情報の書込みが行われるディスク装置において、
前記ディスクへの情報の記録が完了したのちに、前記ピックアップ装置もしくはピックアップ装置周辺部の温度が高いときに、該ピックアップ装置からレーザが発せられることなく該ディスクを空回しさせる空回し手段を備えることを特徴とするディスク装置。
【請求項２】
前記空回し手段は、前記ディスクを回動させるスピンドルモータの回動制御をＦＧパルス制御に切り換えるモータ制御回路を備えることを特徴とする請求項１に記載のディスク装置。
【請求項３】
前記空回し手段は、
前記ディスクを回動させるスピンドルモータもしくはモータ制御回路の回動制御をＦＧパルス制御に切り換えて該ディスクの空回しを行わせる空回し制御部と、
該空回し制御部から発せられる制御信号により前記ピックアップ装置のレーザドライバへの電流の供給を制御するレーザ出力制御回路と
を備えることを特徴とする請求項１又は２に記載のディスク装置。
【請求項４】
前記空回し手段は、
前記ピックアップ装置もしくは前記ピックアップ装置周辺部の少なくとも一方の温度を検知する温度センサと、
該温度センサにより検知された温度信号を判定する温度判定部と、
該温度判定部の判定に基づいて前記ディスクの空回しを行わせる空回し制御部と
を備えることを特徴とする請求項１〜３の何れか１項に記載のディスク装置。
【請求項５】
前記ピックアップ装置は、
前記ディスクに対しレーザを発するレーザダイオードと、
該レーザダイオードからレーザが発せられるときに該レーザダイオードに電力を供給するレーザドライバと
を備え、
該レーザドライバに供給される電流が止められて、該レーザドライバおよび該レーザダイオードの機能が停止された状態で、該ディスクの空回しが行われることを特徴とする請求項１〜４の何れか１項に記載のディスク装置。
【請求項６】
前記ピックアップ装置は、ノート型コンピュータに内装可能なノート型コンピュータ用ピックアップ装置とされ、
該ノート型コンピュータ用ピックアップ装置が装備可能とされたことを特徴とする請求項１〜５の何れか１項に記載のディスク装置。
【請求項７】
情報が記録されるディスクにレーザを照射させるピックアップ装置を用いて、該ディスクを回動させながら該ディスクに情報の書込みを行うディスク装置の制御方法において、
前記ディスクへの情報の記録が完了した後に、
前記ピックアップ装置もしくはピックアップ装置周辺部の温度が高いときに、
該ピックアップ装置からレーザを発することなく、該ディスクを空回しさせることを特徴とするディスク装置の制御方法。
【請求項８】
前記ピックアップ装置もしくは前記ピックアップ装置周辺部が、該ピックアップ装置の耐熱温度よりも高い温度になろうとしたときに、前記ディスクを高速で空回しさせることを特徴とする請求項７に記載のディスク装置の制御方法。
【請求項９】
前記ピックアップ装置もしくは前記ピックアップ装置周辺部が、所定の高い温度以下の高温とされたときに、前記ディスクを低速で空回しさせることを特徴とする請求項７又は８に記載のディスク装置の制御方法。
【請求項１０】
前記ピックアップ装置の温度が所定の温度よりも低い温度となるまで、前記ディスクを空回しさせることを特徴とする請求項７〜９の何れか１項に記載のディスク装置の制御方法。
【請求項１１】
前記ピックアップ装置を前記ディスクの外周側に移動させて、該ディスクを空回しさせることを特徴とする請求項７〜１０の何れか１項に記載のディスク装置の制御方法。
【請求項１２】
前記ピックアップ装置は、
前記ディスクに対しレーザを発するレーザダイオードと、
該レーザダイオードからレーザが発せられるときに該レーザダイオードに電力を供給するレーザドライバと
を備え、
該レーザダイオードまたは該レーザドライバの何れか一方または両方の機能を停止させて、該ディスクを空回しさせることを特徴とする請求項７〜１１の何れか１項に記載のディスク装置の制御方法。
【請求項１３】
前記ピックアップ装置は、ノート型コンピュータに内装可能なノート型コンピュータ用ピックアップ装置とされ、
前記ディスクを空回しさせることにより、該ノート型コンピュータ用ピックアップ装置の冷却を行うことを特徴とする請求項７〜１２の何れか１項に記載のディスク装置の制御方法。
【発明の詳細な説明】
【技術分野】
【０００１】
本発明は、例えば、ディスクの情報を再生させることや、ディスクに情報を記録させることが可能なディスク装置およびその制御方法に関するものである。
【背景技術】
【０００２】
光ビームを用いて信号の読取り動作が行われるディスク装置として、例えばコンパクトディスク（Compact Disc）の情報を読取り可能なコンパクトディスクプレーヤ（図示せず）が挙げられる。コンパクトディスク（Compact Disc）は、「ＣＤ」と略称される。据置き型ＣＤプレーヤ（図示せず）においては、プレーヤ本体の前面に、ＣＤをプレーヤ本体内に装着可能とさせると共に、プレーヤ本体内のＣＤを排出可能とさせるトレーが設けられている。トレーには、所定の位置にＣＤを載置可能なＣＤ載置部が形成されている。また、ＣＤプレーヤ本体の略中央部に、ＣＤを駆動させるターンテーブルが設けられている（何れも図示せず）。また、不図示のＣＤプレーヤ本体の略中央部に、ＣＤから信号の読出し動作を行うピックアップ装置が設けられている。
【０００３】
図５は、従来のディスク装置に装備されたピックアップ装置を示す説明図である。
【０００４】
光ピックアップ（optical pickup）は、「ＯＰＵ」と略称されている。レーザドライバ５１０からレーザダイオード５２０へ電流が流されて、レーザダイオード５２０からレーザ光が出力される。レーザダイオード（Laser Diode ）は、「ＬＤ」と略称される。レーザドライバ５１０は、ＬＤ５２０を駆動させてＬＤ５２０からレーザ光を出させるレーザ駆動回路を構成するものである。このようなことから、レーザドライバは、「ＬＤ Driver 」等と呼ばれ「ＬＤＤ」と略称される。ＬＤＤ５１０からＬＤ５２０に電流が供給され、ＬＤ５２０から出射されたレーザ光により、ディスク７００に情報の記録が行われたり、ディスク７００に記録された情報の再生が行われたりする。
【０００５】
ＬＤ５２０から出力されたレーザ光は、回折格子５３０、中間レンズ５４０、ハーフミラー５５０、対物レンズ５６０を介して、ディスク７００に照射される。回折格子５３０は、光の回折を利用して、ＬＤ５２０から出射されたレーザ光を幾つかのビーム（図示せず）に分ける。ハーフミラー（Half Mirror ）は、「ＨＭ」と略称される。また、対物レンズ（objective lens）は、「ＯＢＬ」と略称される。対物レンズ５６０は、ディスク７００の信号部７０１へレーザ光を集光させる役目を果たす。ディスク７００から反射されたレーザ光の一部は、ＰＤＩＣ５７０などに戻される。「ＰＤＩＣ」は、「Photo Diode IC」の略称である。ＰＤＩＣ５７０は、光を受けて、その信号を電気信号に変えて、ピックアップ装置５０１のレンズホルダ（図示せず）のサーボ機構（図示せず）を動作させるための信号を出力する。
【０００６】
また、ＬＤ５２０から出力されるレーザ光の一部は、フロントモニタダイオード５８０に入る。フロントモニタダイオード（Front Monitor Diode ）は、「ＦＭＤ」と略称される。ＦＭＤは、レーザダイオードから出力されるレーザ光をモニターして、レーザダイオードを制御するためにフィードバックをかけるものとされている。
【０００７】
前記ＬＤＤ５１０、前記ＬＤ５２０、前記回折格子５３０、前記中間レンズ５４０、前記ＨＭ５５０、前記ＯＢＬ５６０、前記ＰＤＩＣ５７０、前記ＦＭＤ５８０は、ハウジング（図示せず）などに取り付けられている。また、前記ＬＤＤ５１０、前記ＬＤ５２０、前記ＰＤＩＣ５７０、前記ＦＭＤ５８０は、フレキシブルプリント回路体５０５に通電可能に接続されている。フレキシブルプリント回路体（Flexible Printed Circuit）は、「
ＦＰＣ」と略称される。ＦＰＣが製造される工程について説明すると、例えば銅箔などの金属箔となる複数の回路導体が、絶縁シートに印刷されて並設される。その上に保護層が設けられて、ＦＰＣが構成される。
【０００８】
光学式ピックアップ装置５０１は、上述した各種のものを備えるものとして構成されている。なお、光学式ピックアップ装置５０１は、図示されたもの以外に、他の構成要素（図示せず）も備えるが、図５においては、それらの構成要素は、便宜上、省略した。
【０００９】
ピックアップ装置５０１のＬＤ５２０から出射されたレーザ光は、ＯＢＬ５６０を通り抜け、プレーヤ本体内に装備されたＣＤ等の光ディスク７００に当てられる。ＬＤ５２０から出射されたレーザ光により、光ディスク７００に情報の記録が行われたり、光ディスク７００に記録された情報が再生されたりする。このようにして、光ディスク装置における情報の記録または再生が行われる。
【００１０】
ＬＤＤ５１０に電流が供給されることで、ＬＤ５２０からレーザ光が出射される。このとき、ＬＤ５２０から熱が発生する。この熱により、ＬＤ５２０自体もしくはＬＤ５２０の周辺の温度が変化する。また、ＬＤ５２０における発振波長は、温度に依存するため、ＬＤ５２０自体もしくはＬＤ５２０の周辺の温度が変化すると、ＬＤ５２０から出射されるレーザ光の波長が変動する。
【００１１】
上記ピックアップ装置５０１は、ＣＤプレーヤに限られることなく、デスクトップ型パーソナルコンピュータや、ノート型パーソナルコンピュータ等にも装備される（何れも図示せず）。パーソナルコンピュータ（Personal Computer ）は、「ＰＣ」と略称とされている。デスクトップ型コンピュータは、卓上型コンピュータとされ、机の上で使用可能なコンピュータである。しかしながら、デスクトップ型コンピュータは、容易に持運びができないものである。これに対し、ノート型コンピュータは、例えばこのものが平面視されたときに略Ａ４判もしくはこれ以下の大きさの汎用パーソナルコンピュータである。ノート型ＰＣは、ブック型ＰＣとも呼ばれている。ノート型ＰＣは、デスクトップ型ＰＣと異なる構造のものである。ノート型ＰＣは、ディスプレイと、ＰＣ本体とが、一体構造のものとされ、ＰＣ本体に対し、ディスプレイが折りたたまれることで、薄型サイズのものとなる。
【００１２】
従来技術のものとして、例えば熱源からの発熱を効率的に外部に放出させ十分な発熱対策が施された光学ピックアップ及びディスクドライブ装置というものが開示されている（例えば特許文献１参照）。
【特許文献１】特開２００２−２８８８４６号公報（第１，３頁、第１−１０図）
【発明の開示】
【発明が解決しようとする課題】
【００１３】
ところで、最近のノート型ＰＣに対し、より小型化されたものや、より軽量化されたものが要求されている。これに伴って、ノート型ＰＣに内蔵されたディスク装置も、より小型、軽薄化されたものが求められるようになった。また、ノート型ＰＣには、さらなる静粛性が求められるようになってきた。
【００１４】
しかしながら、軽薄化されたディスク装置を備えるノート型ＰＣにおいては、ノート型ＰＣ内のドライブ部における放熱空間が少ないため、ノート型ＰＣ内に熱がこもり易い。また、軽薄化されたディスク装置を備えるノート型ＰＣにおいては、ノート型ＰＣ内のドライブ部における放熱空間が少ないため、ＰＣ内部の温度が上昇し易い。ノート型ＰＣ内において、各部品や装置が比較的高い熱に曝されると、熱により、ノート型ＰＣ内の各部において作動不良が生じることが懸念される。
【００１５】
また、ノート型ＰＣが使用されるときに、ＰＣ本体から騒音などのノイズ（noise ）が発生する。ノート型ＰＣの内部空間が少ないことから、ノート型ＰＣ内で発生した音は、ノート型ＰＣの外部に漏れ易い。そのため、ノート型ＰＣから騒音が発生することは、問題視されている。例えば、ノート型ＰＣが用いられて音楽鑑賞が行われるときや、映画鑑賞が行われるときに、ＰＣ本体から発生するノイズは、甚だしく聞き苦しいものとされ、これを低減化することが要望されてきた。ノート型ＰＣの使用者から、ノイズの発生を低減化したノート型ＰＣが望まれている。
【００１６】
ノート型ＰＣから生じるノイズを低減化するために、例えばＰＣ本体を構成するカバーやケースといった筐体などに、重い素材を用いることも考えられた。しかしながら、容易に持運びが可能なノート型ＰＣを実現するために、ノート型ＰＣのさらなる軽量化が要求されている。また、容易に持運びが可能なノート型ＰＣを実現するために、ノート型ＰＣのさらなる薄肉化も要求されている。ノート型ＰＣのさらなる軽量化が要求されていながら、ノート型ＰＣから発生する騒音を抑え込むために、重い部材を用いてノート型ＰＣを組み立てるということは、市場の要求に反する。従って、重い部材が用いられて組み立てられたノート型ＰＣは、市場のニーズに受け入れられない。重い部材が用いられて組み立てられたノート型ＰＣは、市場のニーズに反することから、製造されていないのが現状である。
【００１７】
このように、ノート型ＰＣなどに装備される軽薄なディスク装置には、デスクトップ型ＰＣに装備されるディスク装置よりも、熱および騒音に対し厳しい仕様が要求され、これを改善することが要求されていた。
【００１８】
本発明は、上記問題点を解決することにある。本発明は、上記した点に鑑み、熱対策が行われたディスク装置およびその制御方法を提供することを目的とする。
【課題を解決するための手段】
【００１９】
上記目的を達成するために、本発明の請求項１に係るディスク装置は、情報が記録されるディスクにレーザを照射させるピックアップ装置が用いられて、回動する該ディスクに情報の書込みが行われるディスク装置において、前記ディスクへの情報の記録が完了したのちに、前記ピックアップ装置もしくはピックアップ装置周辺部の温度が高いときに、該ピックアップ装置からレーザが発せられることなく該ディスクを空回しさせる空回し手段を備えることを特徴とする。
【００２０】
上記構成により、ディスクが空回しされることで対流が発生し、この対流により、ピックアップ装置もしくはピックアップ装置周辺部の熱は、奪い去られる。ディスクに情報が記録されるときに、ピックアップ装置からディスクに向けて発せられるレーザは、高いエネルギーが必要とされる。高いエネルギーのレーザがピックアップ装置から発せられると、ピックアップ装置もしくはピックアップ装置周辺部から高い熱が発せられる。このため、ディスクに情報が記録されたのちに、ディスク装置内の廃熱処理が行われないものにあっては、ピックアップ装置もしくはピックアップ装置周辺部の熱は逃がされ難く、ディスク装置内に熱がこもることが懸念されていた。しかしながら、ディスクに情報の記録が完了したのちに、ピックアップ装置もしくはピックアップ装置周辺部の温度が高いときに、ピックアップ装置からレーザが発せられることなくディスクを空回しさせるディスク装置が構成されていれば、ディスクが空回しされることで発生する対流により、ピックアップ装置もしくはピックアップ装置周辺部の温度は、下げられる。従って、ディスク装置内に熱がこもるということは、少しでも回避され易くなる。
【００２１】
請求項２に係るディスク装置は、請求項１に記載のディスク装置において、前記空回し
手段は、前記ディスクを回動させるスピンドルモータの回動制御をＦＧパルス制御に切り換えるモータ制御回路を備えることを特徴とする。
【００２２】
上記構成により、スピンドルモータによってディスクが空回しされるときに、複雑な制御が行われることなく、ＦＧパルス制御という比較的簡単な制御により、ディスクの空回しが行われる。ＦＧパルス制御とは、スピンドルモータの所定角度毎の回転毎に、スピンドルモータの回転数をパルスにより検出しつつ制御することを意味する。また、「ＦＧ」は、「Frequency Generator 」の略称である。ＦＧパルス制御という比較的簡単な制御が行われてディスクの空回しが行われることで、他の制御部などにおいて無駄な制御が行われるということは回避され、ディスクの空回しは、容易に行われる。
【００２３】
請求項３に係るディスク装置は、請求項１又は２に記載のディスク装置において、前記空回し手段は、前記ディスクを回動させるスピンドルモータもしくはモータ制御回路の回動制御をＦＧパルス制御に切り換えて該ディスクの空回しを行わせる空回し制御部と、該空回し制御部から発せられる制御信号により前記ピックアップ装置のレーザドライバへの電流の供給を制御するレーザ出力制御回路とを備えることを特徴とする。
【００２４】
上記構成により、ディスクの空回しが行われるときに、ピックアップ装置からレーザが発せられることなく、ディスクの空回しが開始される。レーザ出力制御回路からピックアップ装置のレーザドライバへの電流の供給が制御されて、レーザ出力制御回路からピックアップ装置のレーザドライバへの電流の供給が止められ、ピックアップ装置からディスクへ向けたレーザの照射が止められることで、ピックアップ装置もしくはピックアップ装置周辺部が加熱されるということは、回避される。さらに、ディスク装置内に入れられたディスクが空回しされることにより、ディスク装置内に熱がこもるということは、回避され易くなる。
【００２５】
請求項４に係るディスク装置は、請求項１〜３の何れか１項に記載のディスク装置において、前記空回し手段は、前記ピックアップ装置もしくは前記ピックアップ装置周辺部の少なくとも一方の温度を検知する温度センサと、該温度センサにより検知された温度信号を判定する温度判定部と、該温度判定部の判定に基づいて前記ディスクの空回しを行わせる空回し制御部とを備えることを特徴とする。
【００２６】
上記構成により、ピックアップ装置もしくはピックアップ装置周辺部の温度は、精度よく検知され易くなる。温度判定部により、ピックアップ装置もしくはピックアップ装置周辺部の温度が、予め設定された所定の温度以上の高い温度とされているか又は予め設定された所定の温度よりも低い温度とされているかということが、確実に判定される。また、温度判定部の判定に基づいてディスクの空回しを行わせる空回し制御部から各種信号が送信されるので、ディスクの空回し動作は、確実に行われる。従って、ピックアップ装置もしくはピックアップ装置周辺部の熱は、ディスクが空回しされることで発生する空気の対流により、奪い去られる。
【００２７】
請求項５に係るディスク装置は、請求項１〜４の何れか１項に記載のディスク装置において、前記ピックアップ装置は、前記ディスクに対しレーザを発するレーザダイオードと、該レーザダイオードからレーザが発せられるときに該レーザダイオードに電力を供給するレーザドライバとを備え、該レーザドライバに供給される電流が止められて、該レーザドライバおよび該レーザダイオードの機能が停止された状態で、該ディスクの空回しが行われることを特徴とする。
【００２８】
上記構成により、熱せられたピックアップ装置は、確実に冷まされる。レーザダイオードおよびレーザドライバがピックアップ装置の主な熱源とされている。レーザダイオード
に接続されたレーザドライバへの電流の供給が止められることで、ピックアップ装置の主な熱源とされるレーザドライバおよびレーザダイオードの機能が停止され、ピックアップ装置の発熱は、止められる。また、ディスクに対してレーザダイオードからレーザが発せられることなく、ディスクの空回しが行われるので、高い温度となったレーザドライバおよびレーザダイオードは、ディスクの空回しによって発生した空気の対流により、冷まされる。
【００２９】
請求項６に係るディスク装置は、請求項１〜５の何れか１項に記載のディスク装置において、前記ピックアップ装置は、ノート型コンピュータに内装可能なノート型コンピュータ用ピックアップ装置とされ、該ノート型コンピュータ用ピックアップ装置が装備可能とされたことを特徴とする。
【００３０】
上記構成により、ノート型コンピュータ用ピックアップ装置の熱もしくはノート型コンピュータ用ピックアップ装置周辺部の熱は、確実に奪い去られる。最近のノート型コンピュータは、高性能化されると共に、小型化、軽量化、軽薄化される傾向にある。ノート型コンピュータの小型化、軽量化、軽薄化に伴って、ピックアップ装置も、小型化、軽量化、軽薄化されつつある。また、ノート型コンピュータが高性能化されると、ノート型コンピュータから多くの熱が発生することとなる。デスクトップ型コンピュータに対し、ノート型コンピュータは小さいものとされ、また、ノート型コンピュータが高性能化されることにより、ノート型コンピュータの内部は、デスクトップ型コンピュータの内部よりも高温となり易い。従って、ノート型コンピュータ用ディスク装置に装備されたピックアップ装置は、高温に曝され易くなり、熱の影響を受け易くなる。しかしながら、ディスクに情報の記録が完了したのちに、ノート型コンピュータ用ピックアップ装置もしくはノート型コンピュータ用ピックアップ装置周辺部の温度が高いときに、ノート型コンピュータ用ピックアップ装置からレーザが発せられることなくディスクを空回しさせるノート型コンピュータ用ピックアップ装置が装備されたディスク装置が用いられていれば、ディスクが空回しされることで発生する対流により、ノート型コンピュータ用ピックアップ装置もしくはノート型コンピュータ用ピックアップ装置周辺部の温度は、下げられる。従って、ノート型コンピュータ用ディスク装置内に熱がこもるということは、少しでも回避され易くなる。
【００３１】
請求項７に係るディスク装置の制御方法は、情報が記録されるディスクにレーザを照射させるピックアップ装置を用いて、該ディスクを回動させながら該ディスクに情報の書込みを行うディスク装置の制御方法において、前記ディスクへの情報の記録が完了した後に、前記ピックアップ装置もしくはピックアップ装置周辺部の温度が高いときに、該ピックアップ装置からレーザを発することなく、該ディスクを空回しさせることを特徴とする。
【００３２】
上記構成により、ピックアップ装置もしくはピックアップ装置周辺部の温度は、下げられる。ピックアップ装置からレーザが発せられてディスクへ情報が記録されているときに、ピックアップ装置から熱が生じ、ピックアップ装置ならびにピックアップ装置周辺部の温度が上昇する。しかしながら、ディスクへの情報の記録が完了した後に、ピックアップ装置もしくはピックアップ装置周辺部の温度が高いときには、ピックアップ装置からレーザを発することなくディスクの空回しを行うので、ピックアップ装置ならびにピックアップ装置周辺部に対流が発生する。この対流により、ピックアップ装置や、ピックアップ装置周辺部は、冷まされる。
【００３３】
請求項８に係るディスク装置の制御方法は、請求項７に記載のディスク装置の制御方法において、前記ピックアップ装置もしくは前記ピックアップ装置周辺部が、該ピックアップ装置の耐熱温度よりも高い温度になろうとしたときに、前記ディスクを高速で空回しさせることを特徴とする。
【００３４】
上記構成により、ピックアップ装置もしくはピックアップ装置周辺部の温度が、異常に高温となることは回避される。ピックアップ装置もしくはピックアップ装置周辺部が、ピックアップ装置の耐熱温度よりも高い温度になろうとしたときに、ディスクを高速で空回しさせるので、ピックアップ装置ならびにピックアップ装置周辺部に、空気の対流が発生する。この対流により、ピックアップ装置ならびにピックアップ装置周辺部は、確実に冷まされる。
【００３５】
請求項９に係るディスク装置は、請求項７又は８に記載のディスク装置の制御方法において、前記ピックアップ装置もしくは前記ピックアップ装置周辺部が、所定の高い温度以下の高温とされたときに、前記ディスクを低速で空回しさせることを特徴とする。
【００３６】
上記構成により、ピックアップ装置およびピックアップ装置周辺部は、静かな状態で冷まされる。ピックアップ装置もしくはピックアップ装置周辺部が、所定の高い温度以下の高温とされたときに、ディスクを低速で空回しさせるので、ディスク装置から騒音が生じるということが回避され、且つ、ピックアップ装置が徐々に冷まされる。従って、ディスク装置の熱問題と、ディスク装置の騒音問題とが同時に解決される。
【００３７】
請求項１０に係るディスク装置の制御方法は、請求項７〜９の何れか１項に記載のディスク装置の制御方法において、前記ピックアップ装置の温度が所定の温度よりも低い温度となるまで、前記ディスクを空回しさせることを特徴とする。
【００３８】
上記構成により、ピックアップ装置の温度は、確実に下げられる。ピックアップ装置の温度が所定の温度よりも低い温度となるまでディスクを空回しさせるので、ピックアップ装置の熱は、ディスクの空回しによって発生する空気の対流により、確実に奪い去られる。また、これにより、ディスク装置内に熱がこもるということは回避される。
【００３９】
請求項１１に係るディスク装置の制御方法は、請求項７〜１０の何れか１項に記載のディスク装置の制御方法において、前記ピックアップ装置を前記ディスクの外周側に移動させて、該ディスクを空回しさせることを特徴とする。
【００４０】
上記構成により、ピックアップ装置は、効率よく冷まされる。例えばディスクが一定の回転数で回されているときに、ディスクの内周部の回転速度と、ディスクの外周部の回転速度とを比較した場合、ディスクの外周部の回転速度のほうが、ディスクの内周部の回転速度よりもはやい。従って、ディスクの内周部よりも、ディスクの外周部のほうが、空気の対流が生じ易い。ピックアップ装置をディスクの外周部側に移動させて、ディスクを空回しさせることにより、ピックアップ装置は、ディスクの外周部で生じた空気の対流によって効率よく冷まされる。
【００４１】
請求項１２に係るディスク装置の制御方法は、請求項７〜１１の何れか１項に記載のディスク装置の制御方法において、前記ピックアップ装置は、前記ディスクに対しレーザを発するレーザダイオードと、該レーザダイオードからレーザが発せられるときに該レーザダイオードに電力を供給するレーザドライバとを備え、該レーザダイオードまたは該レーザドライバの何れか一方または両方の機能を停止させて、該ディスクを空回しさせることを特徴とする。
【００４２】
上記構成により、熱せられたピックアップ装置は、確実に冷まされる。レーザダイオードおよびレーザドライバがピックアップ装置の主な熱源とされている。ピックアップ装置の主な熱源とされるレーザドライバまたはレーザダイオードの何れか一方または両方の機能を停止させるので、ピックアップ装置からの発熱は、抑制または抑止される。また、デ
ィスクに対してレーザダイオードからレーザを発することなく、ディスクを空回しさせるので、高い温度となったレーザダイオードおよびレーザドライバは、ディスクの空回しによって発生する空気の対流により、冷まされる。
【００４３】
請求項１３に係るディスク装置の制御方法は、請求項７〜１２の何れか１項に記載のディスク装置の制御方法において、前記ピックアップ装置は、ノート型コンピュータに内装可能なノート型コンピュータ用ピックアップ装置とされ、前記ディスクを空回しさせることにより、該ノート型コンピュータ用ピックアップ装置の冷却を行うことを特徴とする。
【００４４】
上記構成により、ノート型コンピュータ用ピックアップ装置の熱もしくはノート型コンピュータ用ピックアップ装置周辺部の熱は、確実に奪い去られる。最近のノート型コンピュータは、高性能化されると共に、小型化、軽量化、軽薄化される傾向にある。ノート型コンピュータの小型化、軽量化、軽薄化に伴って、ピックアップ装置も、小型化、軽量化、軽薄化されつつある。また、ノート型コンピュータが高性能化されると、ノート型コンピュータから多くの熱が発生することとなる。デスクトップ型コンピュータに対し、ノート型コンピュータは小さいものとされ、また、ノート型コンピュータが高性能化されることにより、ノート型コンピュータの内部は、デスクトップ型コンピュータの内部よりも高温となり易い。従って、ノート型コンピュータ用ディスク装置に装備されたピックアップ装置は、高温に曝され易くなり、熱の影響を受け易くなる。しかしながら、ディスクに情報の記録が完了したのちに、ノート型コンピュータ用ピックアップ装置もしくはノート型コンピュータ用ピックアップ装置周辺部の温度が高いときに、ノート型コンピュータ用ピックアップ装置からレーザを発することなくディスクを空回しさせれば、ディスクを空回しすることで発生する対流により、ノート型コンピュータ用ピックアップ装置もしくはノート型コンピュータ用ピックアップ装置周辺部の温度は、下げられる。従って、ノート型コンピュータ用ディスク装置内に熱がこもるということは、少しでも回避され易くなる。
【発明の効果】
【００４５】
以上の如く、請求項１に記載の発明によれば、ディスクが空回しされることで対流が発生し、この対流により、ピックアップ装置もしくはピックアップ装置周辺部の熱を奪い去ることができる。ディスクに情報が記録されるときに、ピックアップ装置からディスクに向けて発せられるレーザは、高いエネルギーが必要とされる。高いエネルギーのレーザがピックアップ装置から発せられると、ピックアップ装置もしくはピックアップ装置周辺部から高い熱が発せられる。このため、ディスクに情報が記録されたのちに、ディスク装置内の廃熱処理が行われないものにあっては、ピックアップ装置もしくはピックアップ装置周辺部の熱は逃がされ難く、ディスク装置内に熱がこもることが懸念されていた。しかしながら、ディスクに情報の記録が完了したのちに、ピックアップ装置もしくはピックアップ装置周辺部の温度が高いときに、ピックアップ装置からレーザが発せられることなくディスクを空回しさせるディスク装置が構成されていれば、ディスクが空回しされることで発生する対流により、ピックアップ装置もしくはピックアップ装置周辺部の温度は、下げられる。従って、ディスク装置内に熱がこもるということを、少しでも回避させることができる。
【００４６】
請求項２に記載の発明によれば、スピンドルモータによってディスクが空回しされるときに、複雑な制御が行われることなく、ＦＧパルス制御という比較的簡単な制御により、ディスクの空回しを行わせることが可能となる。ＦＧパルス制御という比較的簡単な制御が行われてディスクの空回しが行われることで、他の制御部などにおいて無駄な制御が行われるということを回避でき、容易にディスクの空回しを行わせることが可能となる。
【００４７】
請求項３に記載の発明によれば、ディスクの空回しが行われるときに、ピックアップ装置からレーザが発せられることなく、ディスクの空回しを開始させることができる。レー
ザ出力制御回路からピックアップ装置のレーザドライバへの電流の供給が止められ、ピックアップ装置からディスクへ向けたレーザの照射が止められるので、ピックアップ装置もしくはピックアップ装置周辺部が加熱されるということを回避させることができる。さらに、ディスク装置内に入れられたディスクが空回しされることにより、ディスク装置内に熱がこもるということを、回避させ易くすることができる。
【００４８】
請求項４に記載の発明によれば、ピックアップ装置もしくはピックアップ装置周辺部の温度を、精度よく検知させ易くすることができる。温度判定部により、ピックアップ装置もしくはピックアップ装置周辺部の温度が、予め設定された所定の温度以上の高い温度とされているものか又は予め設定された所定の温度よりも低い温度とされているものかということを、確実に判定することができる。また、温度判定部の判定に基づいてディスクの空回しを行わせる空回し制御部から各種信号が送信されるので、ディスクの空回し動作を確実に行うことができる。従って、ディスクが空回しされることで発生する空気の対流により、ピックアップ装置もしくはピックアップ装置周辺部の熱を奪い去ることができる。
【００４９】
請求項５に記載の発明によれば、熱せられたピックアップ装置を確実に冷ますことができる。レーザダイオードおよびレーザドライバがピックアップ装置の主な熱源とされている。レーザダイオードに接続されたレーザドライバへの電流の供給が止められることで、ピックアップ装置の主な熱源とされるレーザドライバおよびレーザダイオードの機能が停止され、ピックアップ装置の発熱を止めることができる。また、ディスクに対してレーザダイオードからレーザが発せられることなく、ディスクの空回しが行われるので、ディスクの空回しによって発生した空気の対流により、高い温度となったレーザドライバおよびレーザダイオードを冷ますことができる。
【００５０】
請求項６に記載の発明によれば、ノート型コンピュータ用ピックアップ装置の熱もしくはノート型コンピュータ用ピックアップ装置周辺部の熱を、確実に奪い去ることができる。最近のノート型コンピュータは、高性能化されると共に、小型化、軽量化、軽薄化される傾向にある。ノート型コンピュータの小型化、軽量化、軽薄化に伴って、ピックアップ装置も、小型化、軽量化、軽薄化されつつある。また、ノート型コンピュータが高性能化されると、ノート型コンピュータから多くの熱が発生することとなる。デスクトップ型コンピュータに対し、ノート型コンピュータは小さいものとされ、また、ノート型コンピュータが高性能化されることにより、ノート型コンピュータの内部は、デスクトップ型コンピュータの内部よりも高温となり易い。従って、ノート型コンピュータ用ディスク装置に装備されたピックアップ装置は、高温に曝され易くなり、熱の影響を受け易くなる。しかしながら、ディスクに情報の記録が完了したのちに、ノート型コンピュータ用ピックアップ装置もしくはノート型コンピュータ用ピックアップ装置周辺部の温度が高いときに、ノート型コンピュータ用ピックアップ装置からレーザが発せられることなくディスクを空回しさせるノート型コンピュータ用ピックアップ装置が装備されたディスク装置が用いられていれば、ディスクが空回しされることで発生する対流により、ノート型コンピュータ用ピックアップ装置もしくはノート型コンピュータ用ピックアップ装置周辺部の温度は、下げられる。従って、ノート型コンピュータ用ディスク装置内に熱がこもるということを、少しでも回避させ易くすることができる。
【００５１】
請求項７に記載の発明によれば、ピックアップ装置もしくはピックアップ装置周辺部の温度を下げることができる。ピックアップ装置からレーザが発せられてディスクへ情報が記録されているときに、ピックアップ装置から熱が生じ、ピックアップ装置ならびにピックアップ装置周辺部の温度が上昇する。しかしながら、ディスクへの情報の記録が完了した後に、ピックアップ装置もしくはピックアップ装置周辺部の温度が高いときには、ピックアップ装置からレーザを発することなくディスクの空回しを行うので、ピックアップ装置ならびにピックアップ装置周辺部に対流が発生する。この対流により、ピックアップ装
置や、ピックアップ装置周辺部を冷ますことができる。
【００５２】
請求項８記載の発明によれば、ピックアップ装置もしくはピックアップ装置周辺部の温度が、異常に高温となることを回避させることができる。ピックアップ装置もしくはピックアップ装置周辺部が、ピックアップ装置の耐熱温度よりも高い温度になろうとしたときに、ディスクを高速で空回しさせるので、ピックアップ装置ならびにピックアップ装置周辺部に、空気の対流が発生する。この対流により、ピックアップ装置ならびにピックアップ装置周辺部を、確実に冷ますことができる。
【００５３】
請求項９記載の発明によれば、ピックアップ装置およびピックアップ装置周辺部を静かな状態で冷ますことができる。ピックアップ装置もしくはピックアップ装置周辺部が、所定の高い温度以下の高温とされたときに、ディスクを低速で空回しさせるので、ディスク装置から騒音が生じるということが回避され、且つ、ピックアップ装置が徐々に冷まされる。従って、ディスク装置の熱問題と、ディスク装置の騒音問題とを同時に解決することができる。
【００５４】
請求項１０に記載の発明によれば、ピックアップ装置の温度を確実に下げることができる。ピックアップ装置の温度が所定の温度よりも低い温度となるまでディスクを空回しさせるので、ディスクの空回しによって発生する空気の対流により、ピックアップ装置の熱を確実に奪い去ることができる。また、これにより、ディスク装置内に熱がこもるということを回避させることができる。
【００５５】
請求項１１に記載の発明によれば、ピックアップ装置を効率よく冷ますことができる。例えばディスクが一定の回転数で回されているときに、ディスクの内周部の回転速度と、ディスクの外周部の回転速度とを比較した場合、ディスクの外周部の回転速度のほうが、ディスクの内周部の回転速度よりもはやい。従って、ディスクの内周部よりも、ディスクの外周部のほうが、空気の対流が生じ易い。ピックアップ装置をディスクの外周部側に移動させて、ディスクを空回しさせることにより、ピックアップ装置は、ディスクの外周部で生じた空気の対流によって効率よく冷まされる。
【００５６】
請求項１２に記載の発明によれば、熱せられたピックアップ装置を確実に冷ますことができる。レーザダイオードおよびレーザドライバがピックアップ装置の主な熱源とされている。ピックアップ装置の主な熱源とされるレーザドライバまたはレーザダイオードの何れか一方または両方の機能を停止させるので、ピックアップ装置からの発熱を抑制または抑止させることができる。また、ディスクに対してレーザダイオードからレーザを発することなく、ディスクを空回しさせるので、ディスクの空回しによって発生する空気の対流により、高い温度となったレーザダイオードおよびレーザドライバを冷ますことができる。
【００５７】
請求項１３に記載の発明によれば、ノート型コンピュータ用ピックアップ装置の熱もしくはノート型コンピュータ用ピックアップ装置周辺部の熱を、確実に奪い去ることができる。最近のノート型コンピュータは、高性能化されると共に、小型化、軽量化、軽薄化される傾向にある。ノート型コンピュータの小型化、軽量化、軽薄化に伴って、ピックアップ装置も、小型化、軽量化、軽薄化されつつある。また、ノート型コンピュータが高性能化されると、ノート型コンピュータから多くの熱が発生することとなる。デスクトップ型コンピュータに対し、ノート型コンピュータは小さいものとされ、また、ノート型コンピュータが高性能化されることにより、ノート型コンピュータの内部は、デスクトップ型コンピュータの内部よりも高温となり易い。従って、ノート型コンピュータ用ディスク装置に装備されたピックアップ装置は、高温に曝され易くなり、熱の影響を受け易くなる。しかしながら、ディスクに情報の記録が完了したのちに、ノート型コンピュータ用ピックア
ップ装置もしくはノート型コンピュータ用ピックアップ装置周辺部の温度が高いときに、ノート型コンピュータ用ピックアップ装置からレーザを発することなくディスクを空回しさせれば、ディスクを空回しすることで発生する対流により、ノート型コンピュータ用ピックアップ装置もしくはノート型コンピュータ用ピックアップ装置周辺部の温度は、下げられる。従って、ノート型コンピュータ用ディスク装置内に熱がこもるということを、少しでも回避させ易くすることができる。
【発明を実施するための最良の形態】
【００５８】
以下に本発明に係るディスク装置およびその制御方法の一実施の形態を図面に基づいて詳細に説明する。
【００５９】
図１は、本発明に係るディスク装置およびその制御方法の一実施の形態を示すブロック図、図２は、ディスク装置内を示す説明図、図３は、同じくディスク装置内を示す説明図である。
【００６０】
光ディスク装置１００における各方向について、図２および図３を用いて説明する。トレー本体１５１およびディスク装置本体１０１に対し、トレー１５０のパネル１５５が位置する側を光ディスク装置１００の前側とし、これの反対側を後側とする。また、薄型の光ディスク装置１００において、平面視された側を光ディスク装置１００の表側もしくは上側とし、これの逆側から眺めた側を光ディスク装置１００の裏側もしくは下側とする。なお、この明細書における「前」、「後」、「表」、「裏」、「上」、「下」の定義は、光ディスク装置１００を説明するための便宜上のものとされる。
【００６１】
光ディスク装置１００が用いられて、光ディスク２００に記録された情報などのデータが再生される。また、光ディスク装置１００が用いられて、光ディスク２００に情報などのデータの記録が行われる。光ディスク装置１００内に入れられる光ディスク２００（図１〜図３）は、円板状のものとして形成されている。ディスクとして、例えば、「ＣＤ−ＲＯＭ」，「ＤＶＤ−ＲＯＭ」などのデータ読出し専用の光ディスクや、「ＣＤ−Ｒ」，「ＤＶＤ−Ｒ」，「ＤＶＤ＋Ｒ」などのデータ追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ」，「Blu-ray Disc」などのデータ書込み／消去やデータ書換え可能なタイプの光ディスクなどが挙げられる。また、ディスクとして、二層の信号記録面（２０１）（図１）が設けられ、データ書込み／消去やデータ書換えが可能とされた光ディスク（図示せず）等も挙げられる。光ディスク２００（図１）の記録部２０１は、金属薄膜などの金属層等により形成されている。金属薄膜などから形成される層の記録面２０１に、情報やデータなどが記録される。
【００６２】
上述した如く、光ピックアップ（optical pickup）は、「ＯＰＵ」と略称される。また、「ＣＤ」は、「Compact Disc」の略称である。また、「ＤＶＤ」は、「Digital Versatile Disc」もしくは「Digital Video Disc」の略称である。また、「ＣＤ−ＲＯＭ」もしくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ読出し専用のものである。また、「ＣＤ−Ｒ」または「ＤＶＤ−Ｒ」もしくは「ＤＶＤ＋Ｒ」の「Ｒ」は、「Recordable」の略称である。「ＣＤ−Ｒ」または「ＤＶＤ−Ｒ」もしくは「ＤＶＤ＋Ｒ」は、データの書込みが可能なものである。また、「ＣＤ−ＲＷ」または「ＤＶＤ−ＲＷ」もしくは「ＤＶＤ＋ＲＷ」の「ＲＷ」は、「ReWritable」の略称である。「ＣＤ−ＲＷ」または「ＤＶＤ−ＲＷ」もしくは「ＤＶＤ＋ＲＷ」は、データの書換えが可能なものである。また、「ＤＶＤ−ＲＡＭ」は、「Digital Versatile Disc Random Access Memory 」の略称である。「ＤＶＤ−ＲＡＭ」は、データの読み書き・消去が可能なものである。
【００６３】
また、「ＨＤ  ＤＶＤ」は、「High Definition DVD 」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤやＤＶＤには、赤色のレーザが用いられていたが、「ＨＤ  ＤＶＤ」の光ディスク２００に記録されたデータが読み出されるときには、青紫色のレーザが用いられる。また、「Blu-ray 」とは、従来のＣＤやＤＶＤで信号の読み書きに用いられていた赤色のレーザに対し、高密度記録が実現されるために採用された青紫色のレーザを意味する。
【００６４】
図１は、ディスク装置を示すシステム構成図である。
【００６５】
この光ディスク装置１００は、上記各種光ディスクに対応可能なものとされる。光ディスク装置１００は、各種光ディスクに対して記録／再生が可能なドライブ装置とされている。
【００６６】
光ディスク装置１００内において、例えば音楽鑑賞用ＣＤが再生されるときの光ディスク２００の通常回転数は、約２００〜５００ｒｐｍである。ｒｐｍ（revolutions per minute）とは、１分間あたりの回転数すなわち毎分回転数を意味する。例えば、ＣＤは、線速度一定方式の光ディスクとされているので、光ディスク２００の内周部２０６における信号内周部２０６ｓで、音楽鑑賞用ＣＤのデータが再生されるときの光ディスク２００の通常回転数は、約５００ｒｐｍである。これに対し、光ディスク２００の外周部２０７における信号外周部２０７ｓで、音楽鑑賞用ＣＤのデータが再生されるときの光ディスク２００の通常回転数は、約２００ｒｐｍである。
【００６７】
光ディスク２００の内周部２０６における信号内周部２０６ｓと、光ディスク２００の外周部２０７における信号外周部２０７ｓとの間で、音楽鑑賞用ＣＤのデータが再生されるときの光ディスク２００の通常回転数は、光ディスク装置１００内において回転制御が行われることにより、例えば、５００ｒｐｍ、４００ｒｐｍ、３００ｒｐｍ、２００ｒｐｍというように可変する。
【００６８】
この光ディスク装置１００における光ディスク２００の通常の回転方向は、図２，図３の如く、矢印Ｐに沿った方向とされる。また、この光ディスク装置１００に装備された光ディスク２００は、光ディスク２００の種類にもよるが、矢印Ｐに沿った方向に対し、反対方向にも回転可能とされる。
【００６９】
一層のみの信号記録部が設けられた光ディスク２００に対するピックアップ本体１ａの再生動作について、図１〜図３を用いて説明する。回転する単層光ディスク２００の信号内周部２０６ｓ側から信号外周部２０７ｓ側に向けてピックアップ本体１ａが移動されつつ、単層光ディスク２００の情報／データ等の信号が読み出されてゆく。このようにして、単層光ディスク２００に記録された情報／データ等の信号が読み出される。
【００７０】
次に、二層の信号記録部が設けられた複層光ディスク（２００）に対するピックアップ本体１ａの再生動作について説明する。複層光ディスク（２００）の一層目の信号記録部が再生されるときには、一層だけの信号記録部を備える光ディスク２００が再生されるときと同じく、回転する光ディスク２００の信号内周部（２０６ｓ）側から信号外周部（２０７ｓ）側に向けてピックアップ本体１ａが移動されつつ、複層光ディスク（２００）の第一信号記録面に記録された情報／データ等の信号が読み出されてゆく。
【００７１】
二層目の信号記録部が再生されるときには、二通りの方式が挙げられる。二層目の信号記録部が再生される方式として、パラレル（parallel）と、オポジット（opposite）とが挙げられる。先ず、パラレルについて説明する。複層光ディスク（２００）の一層目の信
号記録部が再生されたのちに、ピックアップ本体１ａを複層光ディスク（２００）の内周部２０６側に移動させる。一層目の信号記録部が再生されるときと同じく、回転する複層光ディスク（２００）の二層目の信号内周部（２０６ｓ）側から信号外周部（２０７ｓ）側に向けてピックアップ本体１ａが移動されつつ、複層光ディスク（２００）の第二信号記録面に記録された情報／データ等の信号が読み出されてゆく。このようなものがパラレルである。
【００７２】
次に、オポジットについて説明する。複層光ディスク（２００）の一層目の信号記録部が再生されたのちに、対物レンズ５０から出される焦点を、複層光ディスク（２００）の一層目の信号記録面から二層目の信号記録面に合わせ直す。回転する複層光ディスク（２００）の二層目の信号外周部（２０７ｓ）側から信号内周部（２０６ｓ）側に向けてピックアップ本体１ａが移動されつつ、複層光ディスク（２００）の第二信号記録面に記録された情報／データ等の信号が読み出されてゆく。このようなものがオポジットである。
【００７３】
パラレルのものよりも、オポジットのもののほうが、シークタイムなどに関する点で優れる。シークタイム（seek time ）とは、例えば光ディスク２００などの情報記録媒体のデータをアクセスするときに、ピックアップ本体１ａの対物レンズ５０が目標位置に移動するまでの時間を意味する。シークタイムが短いものほど、光ディスクに対するデータの読み書き速度がはやいものとされている。
【００７４】
オポジットのものは、複層光ディスク（２００）の第一信号記録面に記録された情報／データ等の信号が読み出されたのちに、複層光ディスク（２００）の第二信号記録面に記録された情報／データ等の信号の読取り作業が開始されるまでの動作に無駄な動作が無い。従って、オポジットのもののほうが、パラレルのものよりも、シークタイムなどに関する点で優れる。
【００７５】
近年、光ディスク２００に記録されたデータ／情報の読出し速度や、光ディスク２００にデータ／情報を記録させるときの書込み速度や書換え速度の高速化が要求されている。光ディスク装置１００は、通常のディスク回転数に対し、例えば、１倍速、２倍速、４倍速、８倍速、１２倍速、１６倍速、２４倍速、３２倍速、４８倍速、６４倍速のディスク回転速度で、光ディスク２００にデータ／情報を記録可能なものとされる。これらの速度は、光ディスク２００の種類などにより異なる。また、光ディスク２００にデータ／情報を記録させるときの光ディスク２００の回転方式は、線速度一定方式もしくは角速度一定方式に基づいて行われる。
【００７６】
この光ディスク装置１００は、通常のディスク回転数に対し、例えば約１〜６４倍速のディスク回転速度で、光ディスク２００にデータ／情報を記録可能な光ディスク装置１００とされる。通常のディスク回転数に対し、例えば約１倍速の速度で光ディスク２００にデータ／情報の記録が行われる場合、データの記録工程は、非常に安定した状態で行われる。従って、この光ディスク２００は、高品質なデータ記録が行われた光ディスク２００とされる。また、通常のディスク回転数に対し、例えば約８倍速の速度で光ディスク２００にデータ／情報の記録が行われる場合、データの記録工程に甚だしく時間がかけられることなく、データの記録工程は、略安定した状態で行われる。従って、この光ディスク２００は、通常の品質のデータ記録が行われた光ディスク２００とされる。また、光ディスク２００へのデータ／情報の記録作業は、異常に長い時間を要することなく通常の時間内で終了する。また、通常のディスク回転数に対し、例えば約６４倍速の速度で光ディスク２００にデータ／情報の記録が行われる場合、データの記録工程は、迅速に行われる。従って、光ディスク２００へのデータ／情報の記録作業は、速やかに終了する。
【００７７】
光学式ピックアップ装置１のレーザダイオード２０から出射されるレーザ光もしくはレ
ーザ光線のパワーは、例えば３ｍＷ〜３００ｍＷ（ミリワット）のパワーとされる。光学式ピックアップ装置１が用いられて、光ディスク２００に記録されたデータ／情報が読み出されるときには、レーザダイオード２０から出射されるレーザ光のパワーは、数ｍＷの少ないパワーで十分とされる。光ディスク２００に記録されたデータ／情報が読み出されるときには、レーザダイオード２０から出射されるレーザ光のパワーは、例えば約５ｍＷ前後の少ないパワーで十分とされる。
【００７８】
しかしながら、光学式ピックアップ装置１が用いられて、光ディスク２００にデータ／情報が記録されるときには、多くのレーザパワーが必要とされる。光ディスク２００にデータ／情報が記録されるときには、光ディスク２００の種類や、光ディスク２００の記録用回転速度などにもよるが、約数十ｍＷ〜数百ｍＷのレーザパワーが必要とされる。
【００７９】
光ディスク装置１００について詳しく説明する。この光ディスク装置１００は、光ディスク２００の記録部２０１に情報を記録可能とさせ、且つ、光ディスク２００の記録部２０１の情報を再生可能とさせた光学式ピックアップ装置１と、光学式ピックアップ装置１に接続されたフロントエンド処理部２と、光学式ピックアップ装置１に接続された光学式ピックアップサーボ回路３と、光学式ピックアップ装置１のレーザドライバ１２に接続されたレーザ出力制御回路１１と、レーザ出力制御回路１１に接続されたエンコーダ／デコーダ部４と、エンコーダ／デコーダ部４を構成するデコーダ５およびエンコーダ６と接続されたインタフェース部７と、エンコーダ／デコーダ部４を構成するデコーダ５およびエンコーダ６と接続されたメモリ８と、光学式ピックアップ装置１の温度センサ２１からＡ／Ｄコンバータ２２を介して接続されたシステム制御用マイクロコンピュータ９と、Ａ／Ｄコンバータ２２に続く温度測定部２３と、温度測定部２３に続く温度判定部２４と、温度判定部２４に続く空回し制御部２５と、システム制御用マイクロコンピュータ９に接続されたメモリ１０と、光ディスク２００を回動させるスピンドルモータ１３と、スピンドルモータ１３を駆動させるモータ駆動回路１４と、モータ駆動回路１４の制御を行うモータ制御回路１５とを備えるものとして構成されている。
【００８０】
光学式ピックアップ装置１のピックアップ本体１ａを構成する各部のものについて説明する。光学式ピックアップ装置１のピックアップ本体１ａを構成する各々のものは、例えば図５に示された光学式ピックアップ装置５０１を構成する各々のものと略同じものとされる。
【００８１】
光ピックアップ装置１（図１）のレーザドライバ１２からレーザダイオード２０へ電流が流されて、レーザダイオード２０からレーザ光が出力される。レーザダイオードは、主に二極の半導体素子により構成されている。レーザダイオードは、二極の半導体素子から構成された発光されるものである。発光素子とされるレーザダイオード（Laser Diode ）は、「ＬＤ」と略称されている。
【００８２】
光学式ピックアップ装置１が用いられて、光ディスク２００にデータ／情報が記録されるときには、高いレーザパワーが必要とされる。そのため、光ディスク２００にデータ／情報が記録されるときには、ＬＤ２０から高エネルギーのレーザ光が出射される。光ディスク２００にデータ／情報が記録されるときには、約数十ｍＷ〜数百ｍＷのレーザパワーが必要とされる。このような状態で光学式ピックアップ装置１のＬＤ２０が使用されると、ＬＤ２０の温度は上昇し、ＬＤ２０は高温状態となる。
【００８３】
発行するＬＤ２０から生じた熱により、ＬＤ２０自体もしくはＬＤ２０の周辺の温度が変化する。また、ＬＤ２０における発振波長は、温度に依存するため、ＬＤ２０自体もしくはＬＤ２０の周辺の温度が変化すると、ＬＤ２０から出射されるレーザ光の波長が変動する。ＬＤ２０から出射されるレーザ光の波長が大幅に変動すると、光学式ピックアップ
装置１が用いられて光ディスク２００にデータ／情報が記録されるときに、データ記録品質の低い光ディスク２００が形成される。また、ＬＤ２０から出射されるレーザ光の波長が大幅に変動すると、光学式ピックアップ装置１が用いられて光ディスク２００のデータ／情報が読み取られるときに、読取りエラーが生じることも心配される。このようなことから、レーザ光の波長は、なるべく変動することなく略一定の波長に保たれることが好ましい。
【００８４】
例えばＣＤ用レーザ光の波長は、約７７０〜８０５ｎｍ（ナノメータ）とされる。また、ＤＶＤ用レーザ光の波長は、約６３０〜６７０ｎｍとされる。また、「ＨＤ  ＤＶＤ」もしくは「Blu-ray Disc」用レーザ光の波長は、約３９０〜４２０ｎｍとされる。これらの各波長が、各数値範囲内においてなるべく変動することなく略一定の波長に保たれるために、ＬＤ２０の使用動作温度は、例えば約−１０〜７０℃、好ましくは約０〜７０℃とされる。
【００８５】
レーザドライバ１２は、ＬＤ２０を駆動させてＬＤ２０からレーザ光を出射させるレーザ駆動回路を構成するものとされている。このようなことから、レーザドライバは、「ＬＤ Driver 」等と呼ばれ「ＬＤＤ」と略称されている。ＬＤＤは、一個の基板の表面もしくは内部において、多くの回路素子が一体として結合されて構成された超小型構造の電子回路とされている。ＬＤＤは、集積回路（ＩＣ）として構成されている。「ＩＣ」は、「Integrated Circuit」の略称である。ＬＤ２０から高エネルギーのレーザ光を出射させるときに、ＬＤＤ１２に高負荷がかけられる。ＬＤ２０から高エネルギーのレーザ光を出射させるために、ＬＤＤ１２に高負荷がかけられる。これにより、ＬＤＤ１２は発熱する。
【００８６】
光ディスク装置に要求される仕様などにもよるが、例えば光ディスク装置１００内における使用動作温度が約０℃未満の低い温度状態のときに、光ディスク２００にデータ／情報の書込みが行われようとされた場合、光ディスク装置１００の暖気が十分とされていないこと等から、光ディスク装置１００内の光ピックアップ装置１などの各部にストレスが生じることが心配される。例えば光ディスク装置１００内に装備されたＬＤＤ１２の作動性は、やや厳しくなる。光ディスク装置１００の設計仕様などにもよるが、光ディスク装置１００内における使用動作温度は、例えばマイナス約１０℃前後とされる。
【００８７】
また、例えば光ディスク装置１００内における使用動作温度が５０℃以上の高い温度とされた場合、光ディスク装置１００内に装備されたＬＤＤ１２の作動性は、使用動作温度が例えば２５℃のときよりも、やや厳しいものとなる。また、光ディスク装置１００内における使用動作温度が６０℃以上の高い温度とされた場合、光ディスク装置１００内に装備されたＬＤＤ１２の作動性は、使用動作温度が５０℃のときにおける作動性よりも厳しいものとなる。さらに、光ディスク装置１００内における使用動作温度が７０℃を超える高い温度とされた場合、光ディスク装置１００内に装備されたＬＤＤ１２の作動性は、使用動作温度が５０℃のときにおける作動性よりもさらに厳しいものとなる。ＬＤＤ１２は、ＩＣとして構成されているので、使用温度により動作特性が変化する。
【００８８】
これらのことから、光ディスク装置１００を用いて、例えば光ディスク２００にデータ／情報を記録させるときや、光ディスク２００のデータ／情報を再生させるときや、光ディスク２００のデータ／情報を消去させるときに、光ディスク装置１００内における使用動作温度は、例えば約−１０〜７０℃、好ましくは約０〜７０℃とされる。光ディスク装置１００の設計仕様などにもよるが、光学式ピックアップ装置１の耐熱温度は、例えば約７０℃とされる。また、光ディスク装置１００内におけるより好ましい使用動作温度は、光ディスク装置１００の設計仕様などにもよるが、例えば約０〜５０℃とされる。従って、光ディスク装置１００内における使用動作温度を、例えば約７０℃以下、好ましくは約６０℃以下、より好ましくは約５０℃以下に維持させることが望ましい。
【００８９】
また、ＬＤ２０もしくはＬＤＤ１２の何れか一方または両方の温度を検知可能な温度センサ２１が、光ピックアップ装置１に装備されている。温度センサ２１として、例えばサーミスタなどが挙げられる。サーミスタ（thermistor）とは、温度によって抵抗が変化する半導体を意味する。光ピックアップ装置１を構成するピックアップ本体１ａは、小型／軽薄なものとされていることから、小型温度センサ２１として、例えばチップタイプのサーミスタ（図示せず）が用いられることが好ましい。
【００９０】
光ピックアップ装置１のＬＤ２０から出力されたレーザ光は、回折格子（図示せず）、ダイバージェントレンズ（図示せず）、レフレクトミラー（図示せず）、対物レンズ５０などを介して、ディスク２００に照射される。
【００９１】
不図示の回折格子は、光の回折を利用して、ＬＤ２０（図１）から出射されたレーザ光を幾つかに分けるものとされている。詳しく説明すると、回折格子は、光の回折を利用して、ＬＤ２０から出射されたレーザ光を一つのメインビーム（図示せず）と、二つのサブビーム（図示せず）とに分ける役割を果たす。また、不図示のダイバージェントレンズは、ＬＤ２０から出射されたレーザ光を集めるものとされる。また、レフレクトミラー（Reflect Mirror）は、「ＲＭ」と略称される。ＲＭは、一部のレーザ光を反射させ、一部のレーザ光を透過させるものとされている。また、対物レンズ（objective lens）は、「ＯＢＬ」と略称される。ＯＢＬ５０は、データ／情報が記録される光ディスク２００の記録部２０１へレーザ光を集光させる役割を果たす。
【００９２】
不図示の回折格子、不図示のダイバージェントレンズ、不図示のＲＭ、ＯＢＬ５０などを経由したレーザ光は、光ディスク２００の記録部２０１に対応した最適状態のレーザ光となる。ＯＢＬ５０から光ディスク２００の記録部２０１に向けて最適状態のレーザ光が照射される。
【００９３】
ディスク２００から反射されたレーザ光の一部は、ＰＤＩＣ（図示せず）などに戻される。「ＰＤＩＣ」は、「Photo Diode IC」の略称である。不図示のＰＤＩＣは、光を受けて、その信号を電気信号に変えて、光ピックアップ装置１のレンズホルダ６０（図２，図３）のサーボ機構（図示せず）を動作させるための信号を出力する。
【００９４】
また、ＬＤ１２（図１）から出力されるレーザ光の一部は、フロントモニタダイオード４０に入る。フロントモニタダイオード（Front Monitor Diode ）は、「ＦＭＤ」と略称される。ＦＭＤ４０は、ＬＤ２０から出力されるレーザ光をモニターして、ＬＤ２０を制御するためにフィードバックをかける受光素子とされる。光学式ピックアップ装置１のピックアップ本体１ａは、上記各種のものを備えて構成されている。ピックアップ本体１ａは、光学式ピックアップ装置１の主な部分を構成するピックアップ主体部１ａとされる。
【００９５】
ピックアップ本体１ａは、光信号などにより、光ディスク２００に記録されたデータなどの情報を読取り可能なものとして構成されている。光学式ピックアップ装置１のピックアップ本体１ａは、ＬＤ２０から出射されたレーザ光を光ディスク２００に集光させるＯＢＬ５０と、ＯＢＬ５０を保持するレンズホルダ６０（図２，図３）とを少なくとも備えるものとして構成されている。
【００９６】
光学式ピックアップ装置１の主な部分を構成するピックアップ本体１ａは、トレー１５０に装備された不図示の送りモータにより、トレー１５０の内外方向Ｑに沿って、トレー１５０に設けられた略長方形のレーザ出射用開口部１５３下を移動するものとされている。また、光学式ピックアップ装置１のピックアップ本体１ａを構成するレンズホルダ６０は、光ディスク２００に対し、ＯＢＬ５０のフォーカス方向およびトラッキング方向に動
作可能なものとされている。
【００９７】
光ディスク装置１００内において、光学式ピックアップ装置１の主体部を構成するピックアップ本体１ａの通常待機位置は、図２の如く、光ディスク２００の内周部２０６側とされている。ピックアップ本体１ａの通常待機位置は、光ディスク装置１００の略中央部１００ｍに設けられたターンテーブル１２０側とされている。
【００９８】
ターンテーブル１２０を備えるスピンドルモータ１３および光学式ピックアップ装置１は、ディスク装置本体１０１に対して移動可能なトレー１５０に装備されている。図２，図３に示すトレー１５０に代えて、例えば光ディスク２００が載せられたり置かれたりする載置部が設けられたトレー（１５０）も使用可能とされる。また、そのようなトレー（１５０）を備えると共に、ターンテーブル（１２０）を備えるスピンドルモータ（１３）およびピックアップ本体（１ａ）が、ディスク装置本体（１０１）に内蔵されたディスク装置（１００）も使用可能とされる。
【００９９】
図１の如く、上記温度測定部２３と、上記温度判定部２４と、上記空回し制御部２５とは、システム制御用マイクロコンピュータ９内に備えられている。マイクロコンピュータ（micro computer）とは、超小型コンピュータを意味する。マイクロコンピュータは、マイコン等と略称されて用いられている。
【０１００】
光学式ピックアップ装置１の温度センサ２１からシステム制御用マイクロコンピュータ９に向けて発せられたアナログ信号は、温度センサ２１と、システム制御用マイクロコンピュータ９との間に設けられたＡ／Ｄコンバータ２２にて、アナログ値からデジタル値へと変換される。Ａ／Ｄコンバータ（Analog to Digital Converter ）は、アナログ値からデジタル値への変換を行うチップまたは基板を意味する。
【０１０１】
メモリ８として、例えばＲＡＭ８が用いられた。「ＲＡＭ」は、「random access memory」の略称である。「ＲＡＭ」とは、記憶場所や順序に関係されることなく略同一時間でデータにアクセスできる記憶装置を意味する。また、メモリ１０として、例えばＲＯＭ１０が用いられた。「ＲＯＭ」は、「read-only memory」の略称である。「ＲＯＭ」とは、読出し専用メモリを意味する。
【０１０２】
光学式ピックアップ装置１は、光ディスク２００に近接され、光ディスク２００に向けてレーザ光を照射させて、光ディスク２００に情報を記録させたり、光ディスク２００の情報を書き換えたり、光ディスク２００の情報を再生させたり、光ディスク２００の情報を消去させたりする光学ヘッド装置１とされている。
【０１０３】
光学式ピックアップ装置１は、光ディスク２００にレーザ光を照射させるＯＢＬ５０と、ＯＢＬ５０に向けてレーザ光を出射するＬＤ２０と、光ディスク２００からの反射光を受光する受光素子（図示せず）とされ、ＬＤ２０から出射されるレーザ光の記録パワー値もしくは再生パワー値を検出するＦＭＤ４０と、ＬＤ２０へ電流を送るＬＤＤ１２と、ＬＤＤ１２もしくはＬＤ２０の何れか一方または両方の温度を検知する温度センサ２１とを少なくとも備えるものとして構成されている。
【０１０４】
また、ディスク装置１００は、ピックアップ装置１を光ディスク２００の記録／再生対象の記録トラック面に対応した位置に移動させるスライド機構と、光ディスク２００に出射したレーザ光を記録／再生対象の記録トラックに追従させる制御すなわちトラッキング制御を行うためのトラッキング機構と、光ディスク２００に出射したレーザ光の焦点ずれを補正する制御すなわちフォーカス制御を行うためのフォーカス機構とを備えるものとして構成されている（何れも図示せず）。
【０１０５】
フロントエンド処理部２は、ＲＦアンプと、トラッキング誤差信号生成回路と、フォーカス誤差信号生成回路とを備えるものとされている（何れも図示せず）。なお、ＲＦアンプは、光学式ピックアップ装置１のＦＭＤ４０において、受光光量に応じて生成された電気信号に基づいて、記録／再生対象の記録トラック上にある記録マークの有無を判別するためのＲＦ信号を生成する。「ＲＦ」は、「radio frequency 」の略称である。「ＲＦ」とは、電波と略同じ高い周波数に変換された信号を意味する。フロントエンド処理部２は、ＬＤＤ１２に接続されている。
【０１０６】
光学式ピックアップサーボ回路３は、フロントエンド処理部２にて生成されたトラッキング誤差信号やフォーカス誤差信号などといった各種誤差信号に基づいて、光学式ピックアップ装置１のトラッキングサーボ機構（図示せず）やフォーカスサーボ機構（図示せず）などのサーボ機構（図示せず）を駆動させるためのサーボ制御信号を生成する光学ヘッドサーボ回路３として構成されている。前記サーボ制御信号に基づいて、前記サーボ機構の駆動が制御される。光学式ピックアップ装置１のＯＢＬ５０を保持するレンズホルダ６０（図２，図３）のフォーカス制御、トラッキング制御などといったサーボ制御は、光学式ピックアップサーボ回路３（図１）から発せられるサーボ制御信号によって行われる。また、光学式ピックアップサーボ回路３は、システム制御用マイクロコンピュータ９から発せられる信号に基づいて制御される。また、光学式ピックアップサーボ回路３は、システム制御用マイクロコンピュータ９に備えられた空回し制御部２５と接続されている。
【０１０７】
エンコーダ／デコーダ部４を構成するデコーダ５は、光ディスク２００が再生されるときに、光ディスク２００のデータフォーマットに対応したデコード処理を行うものとされている。デコード（decode）とは、一定の規則に基づいて符号化されたデータを復号させ、もとのデータを取り出させることを意味する。例えばＣＤメディアのデータフォーマットの場合、変調コードとしてＥＦＭ（８／１４変調）が採用され、誤り訂正符号としてＣＩＲＣが採用されている。デコーダ５は、フロントエンド処理部２にて生成されたＲＦ信号に基づいて、前述の変調コード及び誤り訂正符号に基づいたデコード処理を行うものとされている。
【０１０８】
「ＥＦＭ」とは、８ビットのデータを記録に適した１４ビットのデータ列に置き換えて記録する変調方式を意味する。「ＥＦＭ」は、「eight to fourteen modulation」の略称である。また、「ＣＩＲＣ」は、エラー訂正機構を意味する。「ＣＩＲＣ」は、「Cross Interleaved Reed-Solomon Code 」の略称である。
【０１０９】
また、エンコーダ／デコーダ部４を構成するエンコーダ６は、パーソナルコンピュータなどの情報処理装置（図示せず）からインタフェース部７を介して入力される記録データに関して、光ディスク２００のデータフォーマットに対応したエンコード処理を行うものとされている。エンコード（encode）とは、一定の規則に基づいてデータを符号化させることを意味する。例えばＣＤメディアのデータフォーマットの場合、ＣＩＲＣ符号化処理や、ＥＦＭ変調処理及びスクランブル処理などがエンコード処理に該当され、これらの処理が施された後の記録用変調信号がレーザ出力制御回路１１に送信される。パーソナルコンピュータ（Personal Computer ）は、「ＰＣ」と略称とされている。
【０１１０】
インタフェース部７は、光ディスク装置１００内のエンコーダ／デコーダ部４に接続され、光ディスク装置１００と、ＰＣなどの情報処理装置（図示せず）との間における記録／再生データの送受信を制御するものとされている。
【０１１１】
エンコーダ／デコーダ部４を構成するデコーダ５およびエンコーダ６と接続されたメモリ８として、例えばＲＡＭ８が用いられた。ＲＡＭ８は、前記情報処理装置（図示せず）
からインタフェース部７を介して再生要求コマンドが受信された場合、デコーダ５においてデコード処理中にあるデータを一時記憶するものとされている。一時記憶されたデータは、インタフェース部７を介して情報処理装置（図示せず）に送信される。また、ＲＡＭ８は、情報処理装置（図示せず）からインタフェース部７を介して受信された記録データを一時記憶するものとされている。一時記憶された記録データは、エンコーダ６におけるエンコード処理時にアクセスされる。また、ＲＡＭ８は、システム制御用マイクロコンピュータ９と接続されている。
【０１１２】
システム制御用マイクロコンピュータ９は、光ディスク２００の記録再生に係る光ディスク装置１００全般のシステム制御を司るものとされている。例えばシステム制御用マイクロコンピュータ９は、光ディスク２００に対して記録再生を行う場合に、光ディスク２００に応じた変調／復調処理を施すために、エンコーダ６／デコーダ５の起動を制御する。
【０１１３】
追記型光ディスクなどの記録可能な光ディスクに情報の記録などが行われるときには、実際の情報の記録に先立って、システム制御用マイクロコンピュータ９の制御のもとに、評価値いわゆるアシンメトリ値βに基づいたＯＰＣが実施される。アシンメトリとは、非対称を意味する。また、「ＯＰＣ」とは、メディアへデータが書き込まれるときに、メディア内周部に試し書きを行い、最適なパワーのレーザ出力を行わせることを意味する。「ＯＰＣ」は、「Optimum Power Control 」の略称である。また、試し書きが行われるメディア内周部は、記録レーザパワーの校正が行われるときに必要とされる領域である。試し書きが行われるメディア内周部は、「ＰＣＡ」と省略される。「ＰＣＡ」は、「Power Calibration Area」の略称である。
【０１１４】
ＯＰＣについて詳しく説明すると、ＯＰＣとは、光ディスクのＰＣＡに所定のテストデータの記録を行った後に、ＰＣＡより再生されたテストデータに基づいて得られる評価値いわゆるアシンメトリ値βが、光ディスクに応じた基準値いわゆるターゲットβを含む所定範囲内（例：β±１％など）のものとされているか否かを判定して、最適なパワーのレーザ出力を行わせることを意味する。
【０１１５】
システム制御用マイクロコンピュータ９に接続されたメモリ１０として、例えばＲＯＭ１０が用いられた。ＲＯＭ１０には、光ディスク２００の識別情報に対応付けされるターゲットβおよびＯＰＣの履歴情報として過去に設定された最適記録パワー値が記憶されている。ＯＰＣの履歴情報ではなく、ＯＰＣの初期値として推奨される記録パワー値が、ＲＯＭ１０に予め記憶されたものも使用可能とされる。
【０１１６】
ＲＯＭとして、例えばＥＥＰＲＯＭが用いられた。ＥＥＰＲＯＭとは、電気的に内容を書き換えることが可能なＲＯＭを意味する。ＥＥＰＲＯＭとして、例えば不揮発性メモリが挙げられる。ＥＥＰＲＯＭの変更が行われるときには、通常の電圧よりも高い電圧がかけられた状態で行われる。また、ＥＥＰＲＯＭは、記憶された情報を電気的に消去可能なものとされている。「ＥＥＰＲＯＭ」は、「Electronically Erasable and Programmable
Read Only Memory」の略称である。
【０１１７】
また、例えばＥＰＲＯＭが、第一メモリ（８）もしくは第二メモリ（１０）の何れか一方または両方に用いられたものも使用可能とされる。ＥＰＲＯＭとは、記憶の消去・書込みを何度でも行うことが可能とされるＲＯＭを意味する。ＥＰＲＯＭは、記憶が消去されるときに、読出し時と異なる特殊な方法が行われるものとされている。この点で、ＥＰＲＯＭは、ＲＡＭと異なるものとされる。「ＥＰＲＯＭ」は、「Erasable Programmable Read Only Memory」の略称である。また、上記ＲＡＭや、上記ＥＥＰＲＯＭや、上記ＥＰＲＯＭに代えて、第一メモリ８もしくは第二メモリ１０の何れか一方または両方に、例えば
、その他の記憶部品（不図示）が用いられたものも使用可能とされる。
【０１１８】
レーザ出力制御回路１１は、エンコーダ６から受信された記録用変調信号に基づいて、ＬＤ２０を駆動するためのパルス信号を生成してＬＤＤ１２に送信するものとされている。また、レーザ出力制御回路１１は、システム制御用マイクロコンピュータ９から発せられる信号に基づいて制御される。
【０１１９】
また、レーザ出力制御回路１１は、ＡＰＣ回路４１を備えるものとされている。ＡＰＣ回路とは、光出力一定回路を意味する。また、「ＡＰＣ」は、「Auto Power Control」の略称である。ＡＰＣ回路４１は、ＦＭＤ４０にてモニターされたレーザ光の記録パワー値もしくは再生パワー値に基づいて、ＬＤ２０から出射されるレーザ光の記録パワー値もしくは再生パワー値を一定のものとさせる働きをする。
【０１２０】
ＬＤＤ１２は、レーザ出力制御回路１１から発せられたパルス信号に基づいて、ＬＤ２０を駆動させる。これにより、ＬＤ２０からレーザ光が出射されて、エンコーダ６から出力される記録用変調信号に応じた記録マークが、光ディスク２００の記録部２０１の記録トラックに形成される。また、ＬＤＤ１２は、レーザ出力制御回路１１を構成するＡＰＣ回路４１の制御下で、ＬＤ２０を駆動させる。
【０１２１】
スピンドルモータ１３は、光ディスク２００を回転駆動するモータとされている。また、モータ駆動回路１４は、スピンドルモータ１３を回転駆動するための回路とされている。また、モータ制御回路１５は、例えば不図示のＷＢＬ検出部から受信されたＷＢＬ信号に基づくウォブリング周波数の情報を用いて、例えばＣＤ規格による線速度一定方式にてスピンドルモータ１３の回転駆動制御を行うための回路とされている。このような方式は、ＣＬＶ方式と呼ばれている。「ＣＬＶ」は、「Constant Linear Velocity」の略称である。また、「ＷＢＬ」は、「Wobble」の略称である。ウォブル（Wobble）とは、情報の信号が記録されるトラックの蛇行を意味する。また、スピンドルモータ１３の回転に応じて発生するパルス信号が用いられて、角速度一定方式にてスピンドルモータ１３の回転駆動制御が行われるものも使用可能とされる。このような方式は、ＣＡＶ方式と呼ばれている。「ＣＡＶ」は、「Constant Angular Velocity 」の略称である。モータ制御回路１５は、フロントエンド処理部２と接続されている。
【０１２２】
光ディスク装置１００を構成するディスク装置本体１０１（図２，図３）は、鋼板製の筐体１０５を少なくとも備えるものとして構成されている。また、データなどの情報が備えられる光ディスク２００は、ターンテーブル１２０に着脱自在に取り付けられる。ターンテーブル１２０に対して光ディスク２００が着脱されるときに、容易に光ディスク２００の取付け取外しが行われることが可能とされるために、ターンテーブル１２０にチャッキング部材１２５が設けられている。チャッキング部材１２５が用いられてターンテーブル１２０に光ディスク２００が装着される。これにより、光ディスク２００に対応したトレー１５０のディスク収容部１５１ｄに、光ディスク２００が装備される。光ディスク２００は、ターンテーブル１２０と一体に構成されたスピンドルモータ１３（図１）により回動する。
【０１２３】
スピンドルモータ１３は、このスピンドルモータ１３の制御を行う回路基板（図示せず）に一体のものとされている。不図示の回路基板に、モータ駆動回路１４と、モータ駆動回路１４に続くモータ制御回路１５とが構成されている。光ディスク２００が装着されるターンテーブル１２０と、ターンテーブル１２０と一体に構成されたスピンドルモータ１３と、スピンドルモータ１３に通電可能に接続されたモータ駆動回路１４と、モータ駆動回路１４に通電可能に接続されたモータ制御回路１５とは、一体化された一部品として構成されている。このように、スピンドルモータ１３などを備えるスピンドルモータ構成体
は、いわゆるアセンブリーされたものとして構成されている。また、不図示の回路基板は、スピンドルモータ１３などの制御を行う集積回路や、集積回路などに通電可能に接続されるコネクタ（図示せず）などを備えるものとして構成されている。不図示の回路基板は、光ディスク装置１００の熱源とされる。
【０１２４】
また、ディスク装置本体１０１（図２，図３）の後側に、他の回路基板（図示せず）が装備されている。不図示の他の回路基板は、各種制御を行う集積回路や、集積回路などに通電可能に接続されるコネクタ（図示せず）などを備えるものとして構成されている。また、不図示の他の回路基板も光ディスク装置１００の熱源とされている。
【０１２５】
ピックアップ本体１ａからフレキシブル回路体９０が延設されている。このフレキシブル回路体９０は、ピックアップ本体１ａの移動方向Ｑに沿って、ピックアップ本体１ａから引き出されている。ピックアップ本体１ａから延設されたフレキシブル回路体９０は、可撓性に優れたフレキシブルプリント回路体として形成されている。以下、フレキシブルプリント回路体を「ＦＰＣ」と略称して示す。上述した如く、「ＦＰＣ」は、「Flexible
Printed Circuit」の略称である。
【０１２６】
ピックアップ本体１ａから延設されたＦＰＣ９０は、途中で緩やかに曲げられて折り返され、ディスク装置本体１０１の筐体１０５の後側に装着された他の回路基板と通電可能に接続されている。ＦＰＣ９０が途中で緩やかに曲げられて折り返されることで、ＦＰＣ９０に緩やかな曲部９５（図２）が形成されている。ＦＰＣ９０は、ピックアップ本体１ａと、ディスク装置本体１０１（図２，図３）の筐体１０５の後側に装着された他の回路基板とを結ぶ伝送路としての役割を果すフレキシブル配線基板とされている。回路基板は、光ディスク装置内の各機器と接続されて、各種信号の送受信が行われる。
【０１２７】
光ディスク２００（図２）が備えられたトレー１５０が、ディスク装置本体１０１の前側開口部１０２からディスク装置本体１０１の収容室１０３内に収納されたのちに、スピンドルモータ１３（図１）によって、ターンテーブル１２０が回動する。これにより、ターンテーブル１２０のチャッキング部材１２５に装着された光ディスク２００が回動する。
【０１２８】
トレー１５０（図２）は、ディスク装置本体１０１に対し出入り可能なものとされている。詳しく説明すると、トレー１５０は、ディスク装置本体１０１から外部に突出されたディスク着脱位置（図示せず）と、ディスク装置本体１０１の内部に収納されたディスク動作位置（図３）との間を変位可能なものとして形成されている。薄型のディスク装置本体１０１に対し、薄型のトレー１５０は、光ディスク装置１００の前後方向Ｓに沿ってスライドしながら開閉移動する。
【０１２９】
光ディスク装置１００は、図示されたもの以外に、他の構成要素（図示せず）も備えるが、図１〜図３においては、それらの構成要素は、便宜上、省略した。
【０１３０】
光ディスク装置１００は、データ／情報が記録される光ディスク２００にレーザ光を照射させる光学式ピックアップ装置１が用いられて、回転もしくは回動する光ディスク２００に、データ／情報の書込みが行われるものとされている。この光ディスク装置１００は、光ディスク２００へのデータ／情報の記録が完了したのちに、光学式ピックアップ装置１の温度もしくは光学式ピックアップ装置１周辺部の温度が高いときに、光学式ピックアップ装置１のＬＤ２０からレーザ光が発せられることなく光ディスク２００を空回しさせる空回し手段を少なくとも備えるものとされている。前記ピックアップ装置１周辺部として、例えば光学式ピックアップ装置１の周辺近傍部などが挙げられる。
【０１３１】
光ディスク装置１００（図１〜図３）内に入れられた光ディスク２００が空回しされることで、光ディスク装置１００内に空気の対流が発生する。この空気の対流により、光学式ピックアップ装置１の熱もしくは光学式ピックアップ装置１周辺部の熱は、奪い去られる。
【０１３２】
光ディスク２００（図１）にデータ／情報が記録されるときに、光学式ピックアップ装置１から光ディスク２００の記録部２０１に向けて発せられるレーザ光は、高いエネルギーをもつものが必要とされる。高いエネルギーのレーザ光が光学式ピックアップ装置１のＬＤ２０から発せられると、光学式ピックアップ装置１のＬＤ２０や、ＬＤＤ１２から高い熱が発せられる。また、これにより、光学式ピックアップ装置１周辺部から高い熱が発せられる。このため、光ディスク２００にデータ／情報が記録されたのちに、光ディスク装置１００内の廃熱処理が行われないものにあっては、光学式ピックアップ装置１のＬＤ２０や、光学式ピックアップ装置１のＬＤＤ１２や、光学式ピックアップ装置１の周辺部などの熱は、逃がされ難くなることが懸念されていた。また、光学式ピックアップ装置１のＬＤ２０やＬＤＤ１２などから発せられた熱により、光ディスク装置１００内に熱がこもることが懸念されていた。
【０１３３】
しかしながら、光ディスク２００にデータ／情報の記録が完了したのちに、光学式ピックアップ装置１の温度もしくは光学式ピックアップ装置１周辺部の温度が高いときに、光学式ピックアップ装置１のＬＤ２０からレーザ光が発せられることなく光ディスク２００を空回しさせる光ディスク装置１００が構成されていれば、光ディスク２００が空回しされることで発生する空気の対流により、光学式ピックアップ装置１の温度もしくは光学式ピックアップ装置１周辺部の温度は下げられる。
【０１３４】
光ディスク２００（図２，図３）が空回しされることで発生する空気の対流により、熱せられた空気は、光ディスク装置１００の後側から光ディスク装置１００の外に出される。また、これに伴って、常温の空気が、光ディスク装置１００の前側から光ディスク装置１００の内に取り込まれる。従って、光ディスク装置１００内に熱がこもるということは、少しでも回避され易くなる。
【０１３５】
前記空回し手段は、光ディスク２００（図１）の空回し動作を開始させる信号を発する空回し制御部２５を備えるものとして構成されている。また、前記空回し手段は、光ディスク２００を回転もしくは回動させるスピンドルモータ１３の回動制御をＦＧパルス制御に切り換えるモータ制御回路１５を備えるものとして構成されている。ＦＧパルス制御とは、スピンドルモータ１３の所定角度毎の回転毎に、スピンドルモータ１３の回転数をパルスにより検出しつつ制御することを意味する。また、「ＦＧ」は、「Frequency Generator 」の略称である。スピンドルモータ１３は、ＦＧパルス制御が可能なパルスモータとして構成されている。また、スピンドルモータ１３は、モータ制御回路１５と接続されている。
【０１３６】
前記モータ制御回路１５が光ディスク装置１００に装備されていれば、スピンドルモータ１３によって光ディスク２００が空回しされるときに、複雑な制御が行われることなく、ＦＧパルス制御という比較的簡単な制御により、光ディスク２００の空回しが行われる。
【０１３７】
ＦＧパルス制御が行われて、スピンドルモータ１３が回動するときに、光学式ピックアップサーボ回路３から光学式ピックアップ装置１を制御させるサーボ信号は、ピックアップ装置１に送信されない。ＦＧパルス制御が行われて、スピンドルモータ１３が回動するときに、光学式ピックアップ装置１のＯＢＬ５０を保持するレンズホルダ６０（図２，図３）のフォーカス制御、トラッキング制御などといったサーボ制御は行われず、光学式ピ
ックアップ装置１のレンズホルダ６０は、自然状態に維持される。ＦＧパルス制御という比較的簡単な制御が行われて光ディスク２００の空回しが行われることで、光学式ピックアップサーボ回路３（図１）を介したシステム制御用マイクロコンピュータ９などの他の制御部によって、光学式ピックアップ装置１に対する無駄な制御が行われるということは回避される。従って、光ディスク２００の空回しは、容易に行われる。
【０１３８】
空回し手段について詳しく説明すると、前記空回し手段は、光ディスク２００を回動させるスピンドルモータ１３と、スピンドルモータ１３を回動もしくは回転駆動させるモータ駆動回路１４と、モータ駆動回路１４の駆動制御を行うモータ制御回路１５と、前記スピンドルモータ１３もしくは前記モータ駆動回路１４もしくは前記モータ制御回路１５の回動制御をＦＧパルス制御に切り換えて光ディスク２００の空回しを行わせる空回し制御部２５と、空回し制御部２５から発せられる空回し制御信号により光学式ピックアップ装置１のＬＤＤ１２への電流の供給を制御するレーザ出力制御回路１１とを備えるものとして構成されている。
【０１３９】
このような空回し手段が構成されていれば、光ディスク２００の空回しが行われるときに、光学式ピックアップ装置１のレンズホルダ６０（図２，図３）に装備されたＯＢＬ５０からレーザ光が発せられることなく、光ディスク２００の空回しが開始される。光学式ピックアップ装置１が用いられて、光ディスク２００の記録部２０１（図１）に対するデータ／情報の記録作業が完了したのちに、光ディスク２００の記録部２０１にデータ／情報の記録が行われることなく、引き続き、光ディスク２００は、これまで回転されていた方向に回され続けられる。
【０１４０】
レーザ出力制御回路１１から光学式ピックアップ装置１のＬＤＤ１２への電流の供給が制御されて、レーザ出力制御回路１１から光学式ピックアップ装置１のＬＤＤ１２およびＬＤ２０への電流の供給が止められる。これにより、光学式ピックアップ装置１のＬＤ２０から光ディスク２００の記録部２０１へ向けたレーザ光の照射が止められる。このようにすることで、光学式ピックアップ装置１もしくはピックアップ装置１周辺部が加熱されるということは、回避される。さらに、光ディスク装置１００内に入れられた光ディスク２００が空回しされることにより、光ディスク装置１００内に熱がこもるということは、回避され易くなる。
【０１４１】
また、前記空回し手段は、光学式ピックアップ装置１を構成するＬＤ２０もしくはＬＤＤ１２、又はＬＤ２０もしくはＬＤＤ１２の周辺部、又は光学式ピックアップ装置１の周辺部の少なくとも一箇所以上の温度を検知する温度センサ２１と、温度センサ２１により検知されたアナログの温度信号をデジタルの温度信号に変換させるＡ／Ｄコンバータ２２と、Ａ／Ｄコンバータ２２によってデジタル信号に変換された温度信号を測定する温度測定部２３と、温度測定部２３により測定された温度信号が予め設定された所定の温度（例；５０℃）以上のものとされているものか、又は、温度測定部２３により測定された温度信号が予め設定された所定の温度（例；５０℃）よりも低い温度のものとされているものかを判定する温度判定部２４と、温度判定部２４の判定に基づいて光ディスク２００の空回しを行わせる信号を発する空回し制御部２５とを備えるものとして構成されている。
【０１４２】
光学式ピックアップ装置１の温度判定部２４は、温度測定部２３により測定された温度信号が予め設定された所定の高い温度（例；７０℃）以上のものとされているものか、又は、温度測定部２３により測定された温度信号が予め設定された所定の高い温度（例；７０℃）よりも低い温度のものとされているものかをも判定する。所定の高い温度（例；７０℃）は、光学式ピックアップ装置１の耐熱温度（例；７０℃）と等しいものとされる。
【０１４３】
上記空回し手段を備える光ディスク装置が構成されていれば、光学式ピックアップ装置
１の温度もしくはピックアップ装置１の周辺部の温度は、精度よく検知される。光学式ピックアップ装置１の温度判定部２４により、光学式ピックアップ装置１の温度もしくはピックアップ装置１の周辺部の温度が、予め設定された所定の温度（例；５０℃）以上の高い温度とされているものか、又は、予め設定された所定の温度（例；５０℃）よりも低い温度とされているものかということが、確実に判定される。
【０１４４】
また、光学式ピックアップ装置１の温度判定部２４により、光学式ピックアップ装置１の温度もしくはピックアップ装置１の周辺部の温度が、予め設定された所定の高い温度（例；７０℃）以上の高い温度とされているものか、又は、予め設定された所定の高い温度（例；７０℃）よりも低い温度とされているものかということも、確実に判定される。
【０１４５】
また、温度判定部２４の判定に基づいて、光ディスク２００の空回しを行わせる空回し制御部２５から、光学式ピックアップサーボ回路３と、レーザ出力制御回路１１と、モータ制御回路１５とに向けて、各種信号が送信されるので、光ディスク２００の空回し動作は、確実に行われる。従って、光学式ピックアップ装置１（図１〜図３）の熱もしくはピックアップ装置１の周辺部の熱は、光ディスク２００が空回しされることで発生する空気の対流により、徐々に奪い去られる。
【０１４６】
図１に示す光学式ピックアップ装置１は、データ／情報が記録される光ディスク２００の記録部２０１へレーザ光を集光させるＯＢＬ５０と、ＯＢＬ５０や光ディスク２００の記録部２０１などに対してレーザ光を発するＬＤ２０と、ＬＤ２０からレーザ光が発せられるときにＬＤ２０に電力を供給するＬＤＤ１２と、前記ＬＤ２０または前記ＬＤＤ１２の何れか一方または両方の温度を測定可能な温度センザ２１とを少なくとも備えるものとして構成されている。
【０１４７】
ＬＤＤ１２に送る電流を制御するレーザ出力制御回路１１からＬＤＤ１２に供給される電流が止められることで、光学式ピックアップ装置１の主な熱源であるＬＤＤ１２の電流供給機能が停止する。また、これに伴って、ＬＤＤ１２に続き光学式ピックアップ装置１の主な熱源であるＬＤ２０の発光機能が停止する。ＬＤ２０の発光機能が停止した状態で、光ディスク２００の空回しが行われる。
【０１４８】
これにより、熱せられた光学式ピックアップ装置１は、確実に冷まされる。ＬＤ２０およびＬＤＤ１２が、光学式ピックアップ装置１の主な熱源とされている。ＬＤ２０に接続されたＬＤＤ１２への電流の供給が止められることで、光学式ピックアップ装置１の主な熱源とされるＬＤＤ１２のＬＤ２０用電流供給機能が停止する。また、これに伴って、光学式ピックアップ装置１のもう一つの主な熱源とされ、ＬＤＤ１２に続くＬＤ２０の発光機能が停止する。
【０１４９】
ＬＤＤ１２のＬＤ２０用電流供給機能と、ＬＤ２０の発光機能とが停止したことにより、光学式ピックアップ装置１の発熱は、止められる。また、光ディスク２００の記録部２０１に対してＬＤ２０からレーザ光が発せられることなく、光ディスク２００の空回しが行われるので、光ディスク２００の記録部２０１にデータ／情報が記録されることによって高い温度になったＬＤＤ１２およびＬＤ２０は、光ディスク２００（図１〜図３）の空回しによって発生した空気の対流により、徐々に冷まされる。高温となったＬＤＤ１２およびＬＤ２０は、光ディスク２００の空回しが実行されることで生じた空気の流れにより、確実に冷まされる。
【０１５０】
上記光学式ピックアップ装置１（図１）を備える光ディスク装置１００は、例えば、ノート型ＰＣ（図示せず）や、デスクトップ型ＰＣ（図示せず）などのＰＣや、ＣＤプレーヤなどの音響機器や、ＤＶＤプレーヤなどの音響／映像機器（図示せず）などに装備可能
なものとされる。また、上記光ディスク装置１００は、ＣＤ系光ディスクや、ＤＶＤ系光ディスク等の複数のメディアに対応可能なものとされる。
【０１５１】
光ディスク装置１００は、例えばＣＤまたはＤＶＤの何れか一方または両方の光ディスクを使用可能なプレーヤ（図示せず）などとして構成される。ＣＤプレーヤや、ＤＶＤプレーヤや、ＣＤおよびＤＶＤの両方の光ディスクが使用可能なプレーヤは、例えば、ノート型ＰＣや、据え置き型ＰＣなどに組み込まれて使用される。デスクトップ型コンピュータは、卓上型コンピュータとされ、机の上で使用可能なコンピュータとされている。しかしながら、デスクトップ型コンピュータは、容易に持運びができないタイプのものとされている。
【０１５２】
デスクトップ型ＰＣに対し、ノート型ＰＣは、軽量化、軽薄化が要求されることから、スリム型ドライブとされる光ディスク装置１００を備えた構造のものとされている。ノート型ＰＣは、デスクトップ型ＰＣと異なる構造のものとされている。ノート型ＰＣは、不図示のディスプレイと、不図示のＰＣ本体とが、一体構造のものとされている。ＰＣ本体に対し、ディスプレイが折りたたまれることで、ノート型ＰＣは、薄型サイズのものとなる。ノート型ＰＣは、このものが折りたたまれて平面視されたときに、略Ａ４判もしくはこれ以下の大きさの汎用ＰＣとされる。このようなことから、ノート型ＰＣは、ブック型ＰＣとも呼ばれている。このように、ノート型ＰＣは、コンパクトなものとして容易に持運びができるものとされている。
【０１５３】
光学式ピックアップ装置１（図１〜図３）は、ノート型コンピュータに内装可能な略扁平型のノート型ＰＣ用小型光学式ピックアップ装置１とされている。また、光ディスク装置１００は、ノート型ＰＣ用小型光学式ピックアップ装置１が装備可能な略扁平型のノート型ＰＣ用光ディスク装置１００として構成されている。光ディスク２００の記録部２０１にデータ／情報の記録が完了した後に、ノート型ＰＣ用光ディスク装置１００内で光ディスク２００を空回しさせることにより、ノート型ＰＣ用小型光学式ピックアップ装置１の冷却を行う。
【０１５４】
小型光学式ピックアップ装置１が内部収容空間の少ないノート型コンピュータに実装されても、ノート型ＰＣ用小型光学式ピックアップ装置１の熱もしくはノート型ＰＣ用小型光学式ピックアップ装置１周辺部の熱は、確実に奪い去られる。
【０１５５】
最近のノート型ＰＣは、高性能化されると共に、小型化、軽量化、軽薄化される傾向にある。ノート型ＰＣの小型化、軽量化、軽薄化に伴って、光学式ピックアップ装置１も、小型化、軽量化、軽薄化されつつある。また、ノート型ＰＣが高性能化されると、ノート型ＰＣから多くの熱が発生することとなる。デスクトップ型ＰＣに対し、ノート型ＰＣは小さいものとされ、また、ノート型ＰＣが高性能化されることにより、ノート型ＰＣの内部は、デスクトップ型ＰＣの内部よりも高温となり易い。従って、ノート型ＰＣ用光ディスク装置に装備された光学式ピックアップ装置１は、高温に曝され易くなり、熱の影響を受け易くなる。ノート型ＰＣに装備された光学式ピックアップ装置１は、例えば約−１０〜７０℃の温度条件下で使用される。
【０１５６】
しかしながら、光ディスク２００にデータ／情報の記録が完了したのちに、ノート型ＰＣ用小型光学式ピックアップ装置１もしくはノート型ＰＣ用小型光学式ピックアップ装置１周辺部の温度が高いときに、ノート型ＰＣ用小型光学式ピックアップ装置１からレーザが発せられることなく光ディスク２００を空回しさせるノート型ＰＣ用小型光学式ピックアップ装置１が装備されたノート型ＰＣ用光ディスク装置１００が用いられていれば、光ディスク２００が空回しされることで発生する対流により、ノート型ＰＣ用小型光学式ピックアップ装置１もしくはノート型ＰＣ用小型光学式ピックアップ装置１周辺部の温度は
、低い温度に下げられる。
【０１５７】
光ディスク２００にデータ／情報の記録が完了したのちに、ノート型ＰＣ用小型光学式ピックアップ装置１もしくはノート型ＰＣ用小型光学式ピックアップ装置１周辺部の温度が高いときに、ノート型ＰＣ用小型光学式ピックアップ装置１からレーザ光を発することなく光ディスク２００を空回しさせれば、光ディスク２００を空回しすることで発生する対流により、ノート型ＰＣ用小型光学式ピックアップ装置１もしくはノート型ＰＣ用小型光学式ピックアップ装置１周辺部の温度は、低い温度に下げられる。従って、ノート型ＰＣ用光ディスク装置１００内に熱がこもるということは、少しでも回避され易くなる。
【０１５８】
また、ノート型ＰＣ用光ディスク装置１００（図１〜図３）は、光ディスク３が回転されることで発生する空気の流れにより、光学式ピックアップ装置１と、光ディスク装置本体１０１に内蔵された電気回路を備える基板（図示せず）とを冷却する構造のものとされている。
【０１５９】
このような構造に光ディスク装置１００が構成されていれば、ファンなどの電力を消費する特別な冷却装置が必要とされることなく、放熱特性に優れたノート型ＰＣ用の光ディスク装置１００が、コンピュータ組立メーカなどに提供される。最近のノート型ＰＣは、高性能化されると共に、小型化、軽量化、軽薄化される傾向にある。ＰＣが高性能化されると、ＰＣに装備された制御基板（図示せず）の集積回路（図示せず）や、光学式ピックアップ装置１のＬＤＤ１２およびＬＤ２０などから多くの熱が発生する。このため、ＰＣには、何らかの冷却手段が必要とされる。一方、最近のノート型ＰＣにおいては、小型化、軽量化、軽薄化されることが、ノート型ＰＣの設計者や使用者などから要求されている。ファンなどの特別な冷却装置などがノート型ＰＣに設けられるということは、ノート型ＰＣの大型化や重量増しにつながる。このようなものは、ノート型ＰＣの設計者や使用者の要求に反する。
【０１６０】
しかしながら、光ディスク装置１００内に備えられた光ディスク３が回転されることにより発生する空気の流れを利用して、光ディスク装置１００内の高温化を防ぐものとされていれば、ノート型ＰＣの大型化や重量増しは回避される。従って、大型化や重量増しされることなく、コンパクトで放熱特性に優れた光ディスク装置１００を備えるノート型ＰＣが構成される。また、ノート型ＰＣの消費電力が増加されるということも回避される。
【０１６１】
このように、本発明のディスク装置は、主にノート型コンピュータに好適なものとされる。光ディスク装置１００（図２，図３）は、ノート型コンピュータ本体に対し、容易に光ディスク装置本体１０１が取り付けられたり取り外されたりすることが可能なものとされている。即ち、光ディスク装置１００は、ノート型コンピュータに対し、着脱自在に装備される。
【０１６２】
次に、光ディスク装置１００（図１）の記録制御方法について説明する。詳しく説明すると、データ／情報が記録可能な光ディスク２００にレーザ光を照射させる光学式ピックアップ装置１を用いて、データ／情報が記録される光ディスク２００を回転もしくは回動させながら、光ディスク２００の記録部２０１にデータ／情報の書込みを行う光ディスク装置１００の制御方法について説明する。図１〜図３に示す上記光ディスク装置１００を用いて光ディスク装置の制御方法を行う。
【０１６３】
光ディスク２００の記録部２０１にデータ／情報の記録が完了した後に、光学式ピックアップ装置１の主な熱源とされるＬＤ２０もしくはＬＤＤ１２の何れか一方または両方の温度が高いときや、前記ＬＤ２０の周辺部の温度もしくは前記ＬＤＤ１２の周辺部の温度が高いときや、ピックアップ装置１の周辺部の温度が高いときに、光学式ピックアップ装
置１からレーザ光を発することなく、引き続き光ディスク２００を空回しさせる。すなわち光ディスク２００を空回しの状態で回動させ続ける。
【０１６４】
このようにすることで、光学式ピックアップ装置１の温度もしくは光学式ピックアップ装置１周辺部の温度は、下げられる。光学式ピックアップ装置１のＯＢＬ５０からレーザ光が発せられて光ディスク２００の記録部２０１へデータ／情報が記録されているときに、光学式ピックアップ装置１を構成するＬＤ２０もしくはＬＤＤ１２から熱が生じ、光学式ピックアップ装置１の温度ならびにピックアップ装置１周辺部の温度が上昇する。
【０１６５】
従来の光ディスク装置においては、光ディスクにデータ／情報の記録作業が終了した後に、光ディスクの空回し作業が行われることなく、光ディスク装置本体（１０１）内から光ディスク（２００）が備えられたトレー（１５０）が、すぐに光ディスク装置本体（１０１）の内部から光ディスク装置本体（１０１）の外部に出されるものもあった。
【０１６６】
しかしながら、光ディスク２００にデータ／情報の記録作業が終了した後に、光学式ピックアップ装置１の主な熱源とされるＬＤ２０もしくはＬＤＤ１２の何れか一方または両方の温度が高いときや、ＬＤ２０の周辺部の温度もしくはＬＤＤ１２の周辺部の温度が高いときや、ピックアップ装置１の周辺部の温度が高いときには、光ディスク装置本体１０１から光ディスク２００が備えられたトレー１５０を光ディスク装置本体１０１の外部に出さずに、しかも光学式ピックアップ装置１のＬＤ２０からレーザ光を発することなく光ディスク２００の空回しを行う。
【０１６７】
光ディスク装置１００（図１〜図３）内において、光ディスク２００の空回しを行うので、光ディスク装置１００内に装備された光学式ピックアップ装置１ならびにピックアップ装置１周辺部に空気の対流が発生する。この空気の対流により、光学式ピックアップ装置１を構成する加熱されたＬＤ２０（図１）もしくはＬＤＤ１２は、冷まされる。また、空気の対流により、ピックアップ装置１周辺部は、冷まされる。
【０１６８】
光ディスク２００が回動されて、光ディスク２００の記録部２０１にレーザ光が照射されながらデータ／情報の記録が行われているときに、光ディスク２００の温度は、ほんの僅かに上昇する。しかしながら、前記ＬＤ２０または前記ＬＤＤ１２の温度が上昇する度合に比べると、光ディスク２００の温度が上昇する度合は、はるかに低いものとされる。
【０１６９】
光学式ピックアップ装置１のＬＤ２０もしくはＬＤＤ１２の一方または両方が、光学式ピックアップ装置１の耐熱温度（例；７０℃）よりも甚だしく高い温度になろうとしたときに、光ディスク２００を高速回転で空回しさせる。また、光学式ピックアップ装置１周辺部が、光学式ピックアップ装置１の耐熱温度（例；７０℃）よりも甚だしく高い温度になろうとしたときに、光ディスク２００を高速回転で空回しさせる。光学式ピックアップ装置１の耐熱温度を、ここでは例えば約７０℃に設定する。また、光ディスク２００を高速回転させる速度として、音楽鑑賞用ＣＤが再生されるときの通常のディスク回転数に対し、例えば約８倍速を超え６４倍速以下の回転速度に設定する。回転速度は、光ディスク２００の種類などにより異なる。
【０１７０】
このような制御が行われることにより、光学式ピックアップ装置１もしくは光学式ピックアップ装置１周辺部の温度が、異常に高温となることは回避される。光学式ピックアップ装置１のＬＤ２０（図１）もしくはＬＤＤ１２の一方または両方が、光学式ピックアップ装置１の耐熱温度（例；７０℃）よりも甚だしく高い温度になろうとしたときに、光ディスク２００を高速回転で空回しさせるので、光学式ピックアップ装置１ならびに光学式ピックアップ装置１周辺部に、空気の対流が発生する。また、光学式ピックアップ装置１周辺部が、光学式ピックアップ装置１の耐熱温度（例；７０℃）よりも甚だしく高い温度
になろうとしたときに、光ディスク２００を高速回転で空回しさせるので、光学式ピックアップ装置１ならびに光学式ピックアップ装置１周辺部に、空気の対流が発生する。この対流により、光学式ピックアップ装置１ならびに光学式ピックアップ装置１周辺部は、確実に冷まされる。
【０１７１】
音楽鑑賞用ＣＤが再生されるときの通常のディスク回転数に対し、例えば約８倍速をやや超えた回転速度で光ディスク２００の空回しが行われる場合、比較的静かな状態で、光学式ピックアップ装置１ならびに光学式ピックアップ装置１周辺部が徐々に冷まされる。
【０１７２】
また、音楽鑑賞用ＣＤが再生されるときの通常のディスク回転数に対し、例えば約１６倍速の回転速度で光ディスク２００の空回しが行われる場合、光ディスク装置１００からやや小さい音が生じるものの、光学式ピックアップ装置１ならびに光学式ピックアップ装置１周辺部は、異常に長い時間を要することなく、適度な時間内で冷まされる。また、光ディスク装置１００から生じる小さい音の騒音レベルも低く、我慢できるものとされる。
【０１７３】
また、音楽鑑賞用ＣＤが再生されるときの通常のディスク回転数に対し、例えば６４倍速の回転速度で光ディスク２００の空回しが行われる場合、光学式ピックアップ装置１ならびに光学式ピックアップ装置１周辺部は、速やかに冷まされる。従って、光学式ピックアップ装置１を冷却させるための光ディスク２００の空回しは、短時間で終了する。
【０１７４】
光学式ピックアップ装置１のＬＤ２０もしくはＬＤＤ１２の一方または両方が、所定の高い温度（例；７０℃）以下であって所定の温度（例；５０℃）以上の高温状態とされたときに、光ディスク２００を低速回転で空回しさせる。また、光学式ピックアップ装置１周辺部が、所定の高い温度（例；７０℃）以下であって所定の温度（例；５０℃）以上の高温状態とされたときに、光ディスク２００を低速回転で空回しさせる。ここでの具体的な前記所定の高い温度は、約７０℃に設定されている。この場合、所定の高い温度は、光学式ピックアップ装置１の上記耐熱温度（例；７０℃）に等しいものとされる。また、例えば前記所定の高い温度を約６０℃の温度に設定することも可能とされる。
【０１７５】
また、前記所定の温度を例えば約５０℃の温度に設定する。即ち、光学式ピックアップ装置１のＬＤ２０もしくはＬＤＤ１２の一方または両方の温度が、例えば約５０〜７０℃のとき、又は、光学式ピックアップ装置１周辺部が、例えば約５０〜７０℃のときに、光ディスク装置１００内において、光ディスク２００を低速回転で空回しさせる。
【０１７６】
光ディスク２００を低速回転させる速度として、音楽鑑賞用ＣＤが再生されるときの通常のディスク回転数に対し、例えば約１〜８倍速の回転速度に設定する。又は、光ディスク２００を低速回転させる回転数として、例えば音楽鑑賞用ＣＤが再生されるときの通常のディスク回転数すなわち約２００〜５００ｒｐｍの回転数に設定する。回転速度は、光ディスク２００の種類などにより異なる。
【０１７７】
このような制御が行われることにより、光学式ピックアップ装置１および光学式ピックアップ装置１周辺部は、比較的、静かな状態で冷まされる。光学式ピックアップ装置１もしくは光学式ピックアップ装置１周辺部が、所定の高い温度（例；７０℃）以下であって所定の温度（例；５０℃）以上の高温状態とされたときに、光ディスク２００を低速回転で空回しさせるので、光ディスク装置１００から騒音が生じるということが回避され、且つ、光学式ピックアップ装置１が徐々に冷まされる。従って、光ディスク装置１００の熱問題と、光ディスク装置１００の騒音問題とが同時に解決される。
【０１７８】
音楽鑑賞用ＣＤが再生されるときの通常のディスク回転数に対し、例えば約１倍速すなわち略等倍速の回転速度で光ディスク２００の空回しが行われる場合、非常に静かな状態
で、光学式ピックアップ装置１ならびに光学式ピックアップ装置１周辺部が徐々に冷まされる。従って、光ディスク装置１００から騒音が生じるということなく、光学式ピックアップ装置１の冷却が行われる。
【０１７９】
また、音楽鑑賞用ＣＤが再生されるときの通常のディスク回転数に対し、例えば約４倍速の回転速度で光ディスク２００の空回しが行われる場合、光ディスク装置１００は静かに駆動される。また、光学式ピックアップ装置１ならびに光学式ピックアップ装置１周辺部は、異常に長い時間を要することなく、適度な時間内で冷まされる。
【０１８０】
また、音楽鑑賞用ＣＤが再生されるときの通常のディスク回転数に対し、例えば８倍速の回転速度で光ディスク２００の空回しが行われる場合、光学式ピックアップ装置１ならびに光学式ピックアップ装置１周辺部は、比較的静かな状態で冷まされる。また、光学式ピックアップ装置１ならびに光学式ピックアップ装置１周辺部は、異常に長い時間を要することなく、適度な時間内で冷却される。
【０１８１】
光学式ピックアップ装置１の温度が所定の温度よりも低い温度となるまで、光ディスク２００を空回しさせる。上述した如く、所定の温度を例えば約５０℃の温度に設定する。光ディスク装置１００を用いて、例えば光ディスク２００にデータ／情報を記録させるときや、光ディスク２００のデータ／情報を再生させるときや、光ディスク２００のデータ／情報を消去させるときに、光ディスク装置１００内における使用動作温度は、例えば約−１０〜７０℃とされている。また、光ディスク装置１００内における好ましい使用動作温度は、例えば約０〜５０℃とされている。従って、光ディスク装置１００内における使用動作温度を約７０℃未満、好ましくは約５０℃未満に維持させることが望ましい。
【０１８２】
光学式ピックアップ装置１の前記温度が所定の温度（例；５０℃）よりも低い温度となるまで、光ディスク２００を空回しさせることにより、光学式ピックアップ装置１の温度は、前記所定の温度よりも低い温度に確実に下げられる。光学式ピックアップ装置１の温度が前記所定の温度よりも低い温度となるまで光ディスク２００を空回しさせるので、光学式ピックアップ装置１を構成するＬＤ２０やＬＤＤ１２の熱は、光ディスク２００の空回しによって発生する空気の対流により、確実に奪い去られる。
【０１８３】
熱せられた空気は、光ディスク装置１００（図２，図３）の後側から光ディスク装置１００の外に出され、常温の空気が、光ディスク装置１００の前側から光ディスク装置１００の内に取り込まれる。光ディスク装置１００を構成するトレー１５０のフロントパネル１５５側から光ディスク装置１００の収容室１０３内に常温の空気が吸い込まれる。これにより、光学式ピックアップ装置１は、確実に冷まされる。また、常温の空気が光ディスク装置１００の収容部１０３内に取り込まれることにより、光ディスク装置１００内に熱がこもるということは回避される。
【０１８４】
また、例えば光ディスク２００の記録部２０１（図１）にデータ／情報の記録が完了した後に、光学式ピックアップ装置１の主な熱源とされるＬＤ２０もしくはＬＤＤ１２の何れか一方または両方の温度が高いときや、前記ＬＤ２０の周辺部の温度もしくは前記ＬＤＤ１２の周辺部の温度が高いときや、ピックアップ装置１の周辺部の温度が高いときに、光学式ピックアップ装置１からレーザ光を発することなく、予め定められた一定時間の間、引き続き光ディスク２００を空回しさせるものも使用可能とされる。
【０１８５】
光学式ピックアップ装置１が用いられて、光ディスク２００の記録部２０１にデータ／情報の記録が完了した後に、温度センサ２１により検知された温度信号に基づいて、光ディスク２００の空回しを行う。詳しく説明すると、光学式ピックアップ装置１の主な熱源とされるＬＤ２０もしくはＬＤＤ１２の何れか一方または両方の温度が高いときや、前記
ＬＤ２０の周辺部の温度もしくは前記ＬＤＤ１２の周辺部の温度が高いときや、ピックアップ装置１の周辺部の温度が高いときには、ＬＤ２０もしくはＬＤＤ１２またはこれらの周辺近傍部に設けられた温度センサ２１により検知された温度信号に基づいて、光ディスク２００の空回しを行う。
【０１８６】
上述した如く、温度センサ２１により検知された信号は、Ａ／Ｄコンバータ２２、温度測定部２３、温度判定部２４を経て、空回し制御部２５へ送られる。光ディスク２００を空回しさせるときに、温度判定部２４から送信された判定信号に基づき、光ディスク２００を空回りさせる空回し制御部２５から、光学式ピックアップサーボ回路３と、レーザ出力制御回路１１と、モータ制御回路１５とに向けて、各空回し開始信号が送信される。
【０１８７】
光ディスク２００を回動させるスピンドルモータ１３を制御するモータ制御回路１５に、空回し制御部２５から空回し開始信号を送信させることで、光ディスク２００の空回しを行わせる。このとき、光ディスク２００を回動させるスピンドルモータ１３の回動制御をＦＧパルス制御に切り換えて、光ディスク２００の空回しを行う。これにより、光ディスク２００は、引き続き、これまで回転されていた方向に回され続けられる。
【０１８８】
また、このとき、光学式ピックアップサーボ回路３に、光学式ピックアップ装置１のＯＢＬ５０を保持するレンズホルダ６０（図２，図３）のフォーカス制御、トラッキング制御などのサーボ制御を行うためのサーボ信号は、システム制御用マイクロコンピュータ９（図１）から送信されない。従って、光学式ピックアップサーボ回路３から光学式ピックアップ装置１の位置や姿勢などを調整させる調整信号は、ピックアップ装置１に送信されない。これに伴って、光学式ピックアップ装置１のＯＢＬ５０を備えるレンズホルダ６０（図２，図３）は、光ディスク２００の記録面２０１（図１）にＯＢＬ５０の焦点が合わせられることのない自然状態とされる。
【０１８９】
光ディスク装置１００内において、光ディスク２００の空回しを行って、光学式ピックアップ装置１を冷却させるときに、光学式ピックアップ装置１のピックアップ本体１ａを光ディスク２００の内周部２０６側（図２）から光ディスク２００の外周部２０７側（図３）に移動させ、光ディスク２００を空回しさせる。
【０１９０】
図２，図３の如く、光ディスク装置１００の内部を平面視したときに、トレー１５０のディスク収容部１５１ｄの周縁部１５１ｅに、光学式ピックアップ装置１のＯＢＬ５０が重ねられた状態（図３）となるまで、光学式ピックアップ装置１のピックアップ本体１ａを光ディスク２００の最外周部２０７ｍ側に移動させつつ、光ディスク２００を空回しさせる。
【０１９１】
例えば、回転する単層光ディスク２００の信号内周部２０６ｓ側から信号外周部２０７ｓ側に向けてピックアップ本体１ａを移動させつつ、単層光ディスク２００に情報／データ等の信号を記録させたのちに、ピックアップ本体１ａの通常待機位置とされる単層光ディスク２００の内周部２０６側にピックアップ本体１ａを移動させることなく、直接、ピックアップ本体１ａを単層光ディスク２００の最外周部２０７ｍ側に移動させる。このとき、単層光ディスク２００の回動を停止させることなく、引き続き、単層光ディスク２００を回動させたままの状態で、ピックアップ本体１ａを単層光ディスク２００の最外周部２０７ｍ側に移動させる。
【０１９２】
また、例えば、回転する複層光ディスク（２００）の信号内周部（２０６ｓ）側から信号外周部（２０７ｓ）側に向けてピックアップ本体１ａを移動させつつ、複層光ディスク（２００）の第一信号記録面に情報／データ等の信号を記録させたのちに、ピックアップ本体１ａの通常待機位置とされる複層光ディスク（２００）の内周部（２０６）側にピッ
クアップ本体１ａを移動させることなく、直接、ピックアップ本体１ａを複層光ディスク（２００）の最外周部（２０７ｍ）側に移動させる。このとき、複層光ディスク（２００）の回動を停止させることなく、引き続き、複層光ディスク（２００）を回動させたままの状態で、ピックアップ本体１ａを複層光ディスク（２００）の最外周部（２０７ｍ）側に移動させる。
【０１９３】
また、例えば、回転する複層光ディスク（２００）の信号外周部（２０７ｓ）側から信号内周部（２０６ｓ）側に向けてピックアップ本体１ａを移動させつつ、複層光ディスク（２００）の第二信号記録面に情報／データ等の信号を記録させたのちに、ピックアップ本体１ａの通常待機位置とされる複層光ディスク（２００）の内周部（２０６）側にピックアップ本体１ａを移動させることなく、直接、ピックアップ本体１ａを複層光ディスク（２００）の最外周部（２０７ｍ）側に移動させる。このとき、複層光ディスク（２００）の回動を停止させることなく、引き続き、複層光ディスク（２００）を回動させたままの状態で、ピックアップ本体１ａを複層光ディスク（２００）の最外周部（２０７ｍ）側に移動させる。
【０１９４】
このような光ディスク装置１００の冷却制御方法が行われることにより、光学式ピックアップ装置１は、効率よく冷まされる。例えば光ディスク２００が一定の回転数で回されているときに、光ディスク２００の内周部２０６の回転速度と、光ディスク２００の最外周部２０７ｍの回転速度とを比較した場合、光ディスク２００の最外周部２０７ｍの回転速度のほうが、光ディスク２００の内周部２０６の回転速度よりもはやい。従って、光ディスク２００の内周部２０６よりも、光ディスク２００の最外周部２０７ｍ周辺のほうが、空気の対流が生じ易い。
【０１９５】
光ディスク２００に情報／データ等の信号を記録させたのちに、光ディスク２００の回動を停止させることなく、光学式ピックアップ装置１を光ディスク２００の内周部２０６側（図２）から光ディスク２００の最外周部２０７ｍ側（図３）に移動させて、光ディスク２００を空回しさせることにより、光学式ピックアップ装置１は、光ディスク２００の外周部２０７周辺で生じた空気の対流によって効率よく冷まされる。
【０１９６】
光ディスク装置１００（図１）内の光学式ピックアップ装置１の冷却を行うときに、光学式ピックアップ装置１のＬＤＤ１２への電流の供給を制御するレーザ出力制御回路１１に、空回し制御部２５から電流の供給を停止させる停止信号を送信させる。ＬＤ２０またはＬＤＤ１２の何れか一方または両方の機能を停止させて、光ディスク２００を空回しさせる。図１に示す光ディスク装置１００の基本構成図においては、ＬＤＤ１２の機能を停止させることで、同時にＬＤ２０の機能も停止するものが示されているが、例えば、レーザダイオード（４）の機能と、レーザドライバ（１２）の機能とを、個別に停止させる構成のものも使用可能とされる。
【０１９７】
上記光ディスク装置１００の制御方法を行うことにより、熱せられた光学式ピックアップ装置１は、確実に冷まされる。ＬＤ２０およびＬＤＤ１２が、光学式ピックアップ装置１の主な熱源とされている。光学式ピックアップ装置１の主な熱源とされるＬＤＤ１２またはＬＤ２０の何れか一方または両方の機能を停止させるので、光学式ピックアップ装置１からの発熱は、抑制または抑止される。また、光ディスク２００の記録部２０１に対し、ＬＤ２０からレーザ光を発することなく、光ディスク２００を空回しさせるので、高い温度となったＬＤ２０およびＬＤＤ１２は、光ディスク２００の空回しによって発生する空気の対流により、徐々に冷まされる。
【０１９８】
光ディスク２００の空回しを実行することで空気の流れを発生させ、この空気の流れにより、高温となったＬＤＤ１２や、高温となったＬＤ２０は、確実に冷まされる。また、
これと共に、ディスク装置本体１０１の後側に装備された回路基板（不図示）も、
空気の流れにより確実に冷まされる。
【０１９９】
光ディスク装置１００（図２，図３）の収容室１０３内が冷まされるときに、光ディスク装置１００の後側から光ディスク装置１００の外に向けて、熱せられた空気が排出される。熱せられた空気は、光ディスク装置本体１０１を構成する筐体１０５の後側に設けられた空気流排出用開口部１０４から光ディスク装置本体１０１の外に出される。また、同時に、トレー１５０のフロントパネル１５５と、光ディスク装置本体１０１の前側の開口部１０２との隙間１９０から、光ディスク装置１００の収容部１０３内に常温の空気が取り込まれる。
【０２００】
図４に示すフローチャートに基づいて、光ディスク装置の記録制御方法について詳しく説明する。
【０２０１】
図４は、本発明に係るディスク装置の制御方法を示すフローチャートである。光ディスク装置の電源をＯＮの状態とさせて、光ディスク装置の制御を開始させる。
【０２０２】
光ディスク装置のピックアップ装置が用いられて、ディスクの情報／データの書込み動作を行ったり、書換え動作を行ったり、読込み動作を行ったり、消去動作を行ったり、光ディスク装置のピックアップ装置が待機されたりする状態を、便宜上、メイン処理とする。即ち、光ディスク装置において、通常の電源ＯＮの状態を、便宜上、メイン処理とする。
【０２０３】
ピックアップ装置が、ディスクの情報／データに対する読込み動作（Read処理）もしくは書込み動作（ Write処理）を行っているとき（Ｓ３０１：Ｙｅｓ）には、ディスクの空回し制御は行われず、光ディスク装置は、引き続き情報／データの読込み動作もしくは書込み動作などを行う。
【０２０４】
ピックアップ装置が、ディスクの情報／データに対する読込み動作（Read処理）もしくは書込み動作（ Write処理）を行っていないとき（Ｓ３０１：Ｎｏ）に、ピックアップ装置の温度Ｔを測定する（Ｓ３０２）。
【０２０５】
ディスク空回し制御が行われていないとき（Ｓ３０３：Ｎｏ）であって、且つ、ＬＤＤ１２（図１）もしくはＬＤ２０の何れか一方または両方の温度Ｔが約７０℃（図４）を超える高い温度Ｔになろうとしたとき（Ｓ３０４：Ｙｅｓ）には、高速モードで光ディスクの空回し制御を開始させる（Ｓ３０５）。
【０２０６】
例えば、ディスク空回し制御が行われていないとき（Ｓ３０３：Ｎｏ）であって、且つ、ＬＤＤもしくはＬＤの何れか一方または両方の温度Ｔが約６０℃を超える高い温度Ｔのときに（Ｓ３０４：Ｙｅｓ）、高速モードで光ディスクの空回し制御を開始させる（Ｓ３０５）ものも使用可能とされる。
【０２０７】
光ディスクの空回し制御を開始させるときに、ピックアップ装置からディスクに向けて照射されるレーザをＯＦＦの状態とさせ、且つ、光学式ピックアップ装置の全サーボ制御信号をＯＦＦの状態とさせる。モータからのＦＧパルスによるラフな回転制御いわゆるＦＧパルス制御を行い、高速回転でディスクを空回しさせて、ピックアップ装置を冷却させる。このとき、ディスクは、例えばＣＡＶ方式に基づいて回される。
【０２０８】
その後、ピックアップ装置の温度Ｔの測定を行い（Ｓ３０８）、ピックアップ装置の温度Ｔが約５０℃以上のとき（Ｓ３０９：Ｙｅｓ）には、引き続き、前記Ｓ３０１以下の処
理を行う。即ち、引き続きディスクの空回しを行う。前記Ｓ３０３の処理時において、ディスクの空回し制御を行っているものと判断され（Ｓ３０３：Ｙｅｓ）、ディスクの空回しは、引き続き行われる。
【０２０９】
前記Ｓ３０４の処理時において、ＬＤＤ１２（図１）もしくはＬＤ２０の何れか一方または両方の温度Ｔが約７０℃以下（図４）のとき（Ｓ３０４：Ｎｏ）であって、且つ、ＬＤＤ１２（図１）もしくはＬＤ２０の何れか一方または両方の温度Ｔが約５０℃以上（図４）のとき（Ｓ３０６：Ｙｅｓ）には、低速モードで光ディスクの空回し制御を開始させる（Ｓ３０７）。
【０２１０】
例えば、前記Ｓ３０４の処理時において、ＬＤＤもしくはＬＤの何れか一方または両方の温度Ｔが約６０℃以下のとき（Ｓ３０４：Ｎｏ）であって、且つ、ＬＤＤもしくはＬＤの何れか一方または両方の温度Ｔが約５０℃以上のときに（Ｓ３０６：Ｙｅｓ）、低速モードで光ディスクの空回し制御を開始させる（Ｓ３０７）ものも使用可能とされる。
【０２１１】
光ディスクの空回し制御を開始させるときに、ピックアップ装置からディスクに向けて照射されるレーザをＯＦＦの状態とさせ、且つ、光学式ピックアップ装置の全サーボ制御信号をＯＦＦの状態とさせる。モータからのＦＧパルスによるラフな回転制御いわゆるＦＧパルス制御を行い、低速回転でディスクを空回しさせて、ピックアップ装置を冷却させる。このとき、ディスクは、例えばＣＡＶ方式に基づいて回される。
【０２１２】
その後、ピックアップ装置の温度Ｔの測定を行い（Ｓ３０８）、ピックアップ装置の温度Ｔが約５０℃以上のとき（Ｓ３０９：Ｙｅｓ）には、引き続き、前記Ｓ３０１以下の処理を行う。即ち、引き続きディスクの空回しを行う。前記Ｓ３０３の処理時において、ディスクの空回し制御を行っているものと判断され（Ｓ３０３：Ｙｅｓ）、ディスクの空回しは、引き続き行われる。
【０２１３】
前記Ｓ３０６の処理時において、ＬＤＤ１２（図１）もしくはＬＤ２０の何れか一方または両方の温度Ｔが約５０℃（図４）よりも低い温度のときには（Ｓ３０６：Ｎｏ）、ディスクの空回しを行わない。光ディスク装置は、通常の電源ＯＮ時における上記メイン処理の状態とされる。
【０２１４】
また、前記Ｓ３０９の処理時において、ピックアップ装置の温度Ｔが約５０℃よりも低い温度のとき（Ｓ３０９：Ｎｏ）には、ディスクの空回し制御を停止させる（Ｓ３１０）。ディスク装置内のピックアップ装置を冷ますためのディスク装置の制御は終了する。光ディスク装置は、通常の電源ＯＮ時における上記メイン処理の状態とされる。
【０２１５】
光ディスク２００（図１〜図３）の空回し工程は、光学式ピックアップ装置１の温度Ｔが所定の温度未満となるまで続行される。ここでは、光ディスク２００の空回しは、光学式ピックアップ装置１の温度Ｔが約５０℃よりも低い温度になるまで続行される。
【０２１６】
このようにすることで、重い素材が用いられることなく熱対策が行われた光ディスク装置およびその制御方法を、光ディスク装置の組立メーカなどに提供することができる。
【０２１７】
上記ディスク装置１００は、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ−ＤＶＤ」，「Blu ray Disc」などの書込み／消去や書換え可能なタイプの光ディスクに対応した光ディスク装置に装備可能とされる。
【０２１８】
また、上記ディスク装置１００は、例えば、ノート型ＰＣや、デスクトップ型ＰＣなどのＰＣや、ＣＤプレーヤなどの音響機器や、ＤＶＤプレーヤなどの音響／映像機器などに装備可能なものとされる。また、上記光ディスク装置１００は、ＣＤ系光ディスクや、ＤＶＤ系光ディスク等の複数のメディアに対応可能なものとされる。
【０２１９】
本発明のものは、熱および騒音に対し、厳しい仕様が要求される薄型のノート型ＰＣに好適なものとされる。なお、ディスク装置１００等の設計仕様などにより、本発明のものは、ノート型ＰＣに限られることなく、例えばデスクトップ型ＰＣや、ＤＶＤプレーヤなどに装備される各種光ディスク装置に適用可能なものとされる。本発明のものは、図１〜図４に示すものに限定されるものではない。本発明のものは、その要旨を逸脱しない範囲において、種々変更可能なものとされる。
【図面の簡単な説明】
【０２２０】
【図１】本発明に係るディスク装置およびその制御方法の一実施の形態を示すブロック図である。
【図２】ディスク装置内を示す説明図である。
【図３】同じくディスク装置内を示す説明図である。
【図４】本発明に係るディスク装置の制御方法を示すフローチャートである。
【図５】従来のディスク装置に装備されたピックアップ装置を示す説明図である。
【符号の説明】
【０２２１】
１        光学ヘッド装置（ピックアップ装置）
１ａ      ピックアップ本体（ピックアップ主体部）
２        フロントエンド処理部
３        光学ヘッドサーボ回路（光学式ピックアップサーボ回路）
４        エンコーダ／デコーダ部
５        デコーダ
６        エンコーダ
７        インタフェース部
８        ＲＡＭ（メモリ）
９        マイクロコンピュータ
１０      ＥＥＰＲＯＭ（メモリ）
１１      レーザ出力制御回路
１２      ＬＤＤ（レーザドライバ）
１３      スピンドルモータ
１４      モータ駆動回路
１５      モータ制御回路
２０      ＬＤ（レーザダイオード）
２１      温度センサ
２２      Ａ／Ｄコンバータ
２３      温度測定部
２４      温度判定部
２５      空回し制御部
４０      ＦＭＤ（フロントモニタダイオード）
４１      ＡＰＣ回路
５０      ＯＢＬ（レンズ）
６０      レンズホルダ
９０      ＦＰＣ（フレキシブル回路体）
９５      曲部
１００    光ディスク装置（ディスク装置）
１００ｍ  中央部
１０１    光ディスク装置本体（ディスク装置本体）
１０２    前側開口部（開口部）
１０３    収容室（収容部）
１０４    空気流排出用開口部（開口部）
１０５    筐体
１２０    ターンテーブル
１２５    チャッキング部材
１５０    トレー
１５１    トレー本体
１５１ｄ  ディスク収容部
１５１ｅ  周縁部
１５３    レーザ出射用開口部（開口部）
１５５    フロントパネル（パネル）
１９０    隙間
２００    光ディスク（ディスク）
２０１    記録面（記録部）
２０６    内周部
２０６ｓ  信号内周部
２０７    外周部
２０７ｍ  最外周部
２０７ｓ  信号外周部
Ｐ        回転方向
Ｑ        内外方向（移動方向）
Ｓ        前後方向
【図１】
2005259335.tif 000003
【図２】
2005259335.tif 000004
【図３】
2005259335.tif 000005
【図４】
2005259335.tif 000006
【図５】
2005259335.tif 000007